(57)【要約】【課題】身体部分の画像取得方法および画像取得システム。【解決手段】画像取得方法およびシステムでは、対象者に表示装置と画像取得装置の近くに身体部分を配置するよう指示することを含む。当該方法はさらに、表示装置に信号を送信し、身体部分を照射するための光を所定の波長幅で発生させ、身体部分が、表示装置から発生した所定の波長幅の光で照射されている間に身体部分の画像を画像取得装置で取得することを含む。【選択図】　　図１
2004000428.tif 000002
【特許請求の範囲】
【請求項１】
対象者に表示装置と画像取得装置の傍に身体部分を配置するように指示することと；
身体部分を照射するための所定の波長幅の光を発生させる信号を表示装置に送ることと；および、
身体部分が表示装置から発生した所定の波長幅の光で照射されている間に身体部分を画像取得装置で取得することを含む画像取得方法。
【請求項２】
所定の波長幅は、表示装置からフラッシュ光を発生させる波長を含む請求項１に記載の方法。
【請求項３】
所定の波長は赤色光の波長を含む請求項１または２に記載の方法。
【請求項４】
対象者への指示は、ネットワークを通じた対象者への指示の伝達、ソフトウェアの形態での対象者への指示の伝達、ハードコピーの形態での対象者への指示の伝達の少なくとも１つを含む請求項１ないし３のいずれか１項に記載の方法。
【請求項５】
表示装置への信号の送信には、信号を送信するためのクライアント側のアルゴリズムとサーバー側のアルゴリズムの少なくとも１つへのアクセスを提供することが含まれる請求項１ないし４のいずれか１項に記載の方法。
【請求項６】
身体部分が画像取得装置の取得フィールド内に配置されている美容分析を可能とし、：
身体部分の少なくとも１つの特徴に関する情報を抽出するために画像を処理することをさらに含む、請求項１ないし５のいずれか１項に記載の方法。
【請求項７】
画像処理は、クライアント側のアルゴリズムとサーバー側のアルゴリズムの少なくとも１つへのアクセスを提供することを含む請求項６に記載の方法。
【請求項８】
画像処理が少なくとも部分的に人工知能を使用して達成される請求項６または７に記載の方法。
【請求項９】
画像処理には、上記画像とデータベースの複数の画像との比較が含まれる請求項６ないし８のいずれか１項に記載の方法。
【請求項１０】
対象者に、少なくとも１つの特徴の機能として少なくとも１つの美容製品を処方することをさらに含む、請求項６ないし９のいずれか１項に記載の方法。
【請求項１１】
上記特徴は、肌の色調、肌のきめ、しわ、血管、毛髪、にきび、そばかす、および肌の脂性から選択される請求項６ないし１１のいずれか１項に記載の方法。
【請求項１２】
画像の取得には、画像取得装置に修正画像を取得させるための、クライアント側のアルゴリズムとサーバー側のアルゴリズムの少なくとも１つへのアクセスを提供することが含まれる請求項１ないし１１のいずれか１項に記載の方法。
【請求項１３】
身体部分は、対象者の顔である請求項１ないし１２のいずれか１項に記載の方法。
【請求項１４】
画像取得装置を使用して身体部分の第一の画像を取得することと；
当該第一の画像を処理して、画像取得装置と表示装置の少なくとも１つに関する身体部分の少なくともおおよその第一の位置を計算することと；
当該計算された第一の位置と所望の参考位置とを比較することと；
対象者に所望の参考位置の近くに当該身体部分を移動させるように指示することと；
当該身体部分が移動した後に身体部分の第二の画像を取得することをさらに含む請求項１ないし１３のいずれか１項に記載の方法。
【請求項１５】
対象者への移動指示は、対象者に指示するためのクライアント側のアルゴリズムとサーバー側のアルゴリズムの少なくとも１つへのアクセスを提供することを含む請求項１４に記載の方法。
【請求項１６】
上記第一の画像を処理することには、上記第一の画像が対象者の身体部分の全体像を含むか否かを判断すること、上記第一の画像が対象者の身体部分の一部を含むか否かを判断すること、対象者の身体部分が上記第一の画像の中央部にあるか否かを判断すること、および上記第一の画像における対象者の身体部分の大きさを判断することの少なくとも１つが含まれる請求項１ないし１５のいずれか１項に記載の方法。
【請求項１７】
比較は、計算された第一の位置と所望の参考位置との位置ずれを計算し、当該位置ずれが閾値より大きいか否かを判断することを含む請求項１４ないし１６のいずれか１項に記載の方法。
【請求項１８】
対象者への移動指示は、位置ずれが閾値より大きい場合、対象者に移動するように指示することを含む請求項１７に記載の方法。
【請求項１９】
対象者への移動指示は、対象者に移動するように指示するためのクライアント側のアルゴリズムとサーバー側のアルゴリズムの少なくとも１つを提供することを含む請求項１４ないし１８のいずれか１項に記載の方法。
【請求項２０】
対象者の第一の画像の取得と第二の画像の取得には、身体部分の画像を取得せよとの対象者からの指示の受信、身体部分の画像がもうすぐ取得される旨の対象者への通知、および身体部分の画像が取得されたときの対象者への通知の少なくとも１つが含まれる請求項１４ないし１９のいずれか１項に記載の方法。
【請求項２１】
第二の画像を処理することによって、画像取得装置と表示装置の少なくとも１つに関する対象者の身体部分の少なくともおおよその第二の位置を計算することと；
計算された第二の位置と所望の参考位置とを比較して位置ずれを判断することと；
当該位置ずれが閾値より大きい場合、対象者に所望の参考位置近くへ移動するように指示することをさらに含む請求項１４ないし２０のいずれか１項に記載の方法。
【請求項２２】
表示装置の近くおよび画像取得装置の近くに身体部分を配置させるように対象者に指示する手段と；
身体部分を照射するための所定の波長幅の光を発生させるために表示装置に信号を送る手段と；
身体部分が、表示装置から発生した所定の波長幅の光で照射されている間に身体部分の画像を画像取得装置で取得する手段を有する画像取得システム。
【請求項２３】
所定の波長幅は、表示装置からフラッシュ光を発生させる波長を含む請求項１ないし２２に記載のシステム。
【請求項２４】
所定の波長は赤色光の波長を含む請求項２２または２３に記載のシステム。
【請求項２５】
対象者に指示するための手段は、ネットワークを通じた対象者への指示の伝達、ソフトウェアの形態での対象者への指示の伝達、ハードコピーの形態での対象者への指示の伝達のための手段の少なくとも１つを含む請求項２２ないし２４のいずれか１項に記載のシステム。
【請求項２６】
表示装置への信号の送信手段には、信号を送信するためのクライアント側のアルゴリズムとサーバー側のアルゴリズムの少なくとも１つへのアクセスを提供するための手段が含まれる請求項２２ないし２５のいずれか１項に記載のシステム。
【請求項２７】
美容分析を可能とし、：
身体部分を画像取得装置の取得フィールド内に配置するように対象者に指示する手段と；
身体部分の少なくとも１つの特徴に関する情報を抽出するために画像を処理する手段をさらに含む請求項２２ないし２６のいずれか１項に記載のシステム。
【請求項２８】
画像処理の手段は、クライアント側のアルゴリズムとサーバー側のアルゴリズムの少なくとも１つへのアクセスを提供するための手段を含む請求項２７に記載のシステム。
【請求項２９】
画像処理の手段が人工知能を使用する請求項２７または２８に記載のシステム。
【請求項３０】
画像処理の手段には、上記画像とデータベースの複数の画像との比較のための手段が含まれる請求項２７ないし２９のいずれか１項に記載のシステム。
【請求項３１】
対象者に、少なくとも１つの特徴の機能として少なくとも１つの美容製品を処方するための方法をさらに含む、請求項２７ないし３０のいずれか１項に記載のシステム。
【請求項３２】
上記特徴は、肌の色調、肌のきめ、しわ、血管、毛髪、にきび、そばかす、および肌の脂性から選択される請求項２７ないし３１のいずれか１項に記載のシステム。
【請求項３３】
画像の取得方法には、画像取得装置に修正画像を取得させるためのクライアント側のアルゴリズムとサーバー側のアルゴリズムの少なくとも１つへのアクセスを提供するための方法が含まれる請求項２７ないし３２のいずれか１項に記載のシステム。
【請求項３４】
身体部分は、対象者の顔である請求項２７ないし３３のいずれか１項に記載のシステム。
【請求項３５】
画像取得装置を使用して身体部分の第一の画像を取得するための手段と；
当該第一の画像を処理して、画像取得装置と表示装置の少なくとも１つに対する身体部分の少なくともおおよその第一の位置を計算する手段と；
当該計算された第一の位置と所望の参考位置とを比較する手段と；
対象者に当該身体部分を所望の参考位置の近くに移動させるように指示する手段と；
身体部分が移動した後に当該身体部分の第二の画像を取得する手段をさらに含む請求項２７ないし３４のいずれか１項に記載のシステム。
【請求項３６】
対象者に移動を指示するための手段は、対象者に指示をするためのクライアント側のアルゴリズムとサーバー側のアルゴリズムの少なくとも１つへのアクセスを提供する手段を含む請求項３５に記載のシステム。
【請求項３７】
上記第一の画像を処理する手段には、上記第一の画像が対象者の身体部分の全体像を含むか否かを判断する手段、上記第一の画像が対象者の身体部分の一部を含むか否かを判断する手段、対象者の身体部分が上記第一の画像の中央部にあるか否かを判断する手段、および上記第一の画像における対象者の身体部分の大きさを判断する手段の少なくとも１つが含まれる請求項３６または３７に記載のシステム。
【請求項３８】
比較するための手段は、計算された第一の位置と所望の参考位置との位置ずれを計算する手段と、当該位置ずれが閾値より大きいか否かを判断する手段を含む請求項３５ないし３７のいずれか１項に記載のシステム。
【請求項３９】
対象者に移動するように指示する手段は、上記位置ずれが閾値より大きい場合、対象者に移動するように指示する手段を含む請求項３８に記載のシステム。
【請求項４０】
対象者に移動するように指示する手段は、対象者に移動するように指示するためのクライアント側のアルゴリズムとサーバー側のアルゴリズムの少なくとも１つを提供するための手段を含む請求項３５ないし３９のいずれか１項に記載のシステム。
【請求項４１】
対象者の第一の画像の取得手段と第二の画像の取得手段には、身体部分の画像を取得せよとの対象者からの指示の受信手段、身体部分の画像がもうすぐ取得される旨の対象者への通知手段、および身体部分の画像が取得されたときの対象者への通知手段の少なくとも１つが含まれる請求項３５ないし４０のいずれか１項に記載のシステム。
【請求項４２】
第二の画像を処理することによって、画像取得装置と表示装置の少なくとも１つに関する対象者の身体部分の少なくともおおよその第二の位置を計算する手段と；
計算された第二の位置と所望の参考位置とを比較して位置ずれを判断する手段と；
当該位置ずれが閾値より大きい場合、対象者に所望の参考位置近くへどのように移動するべきかを指示する手段をさらに含む請求項３５ないし４１のいずれか１項に記載のシステム。
【請求項４３】
美容関連情報を収集するための少なくとも１つの道具と；
対象者の身体外部の状態の画像を取得するための画像取得装置と；
対象者の身体外部の状態の画像を取得するための画像取得装置を作動させるためのドライバを有する組み合わせであって、当該画像取得装置と当該ドライバと少なくとも１つの道具は、電子的美容分析を容易にするために一緒に包装されて配達される組み合わせ。
【請求項４４】
上記道具は、身体的情報、生理的情報および生物学的情報の少なくとも１つを集合させるように構成されている請求項４３に記載の組み合わせ。
【請求項４５】
上記道具は、ｐＨインジケータ、皮脂テープおよび角質インジケータの少なくとも１つを含む請求項４３または４４に記載の組み合わせ。
【請求項４６】
表示装置の近くであって画像取得装置の取得フィールド内に身体部分を配置させるように対象者へ指示することと；
身体部分を照射するための所定の波長幅の光を発生させるために表示装置に信号を送ることと；
身体部分が、表示装置から発生した所定の波長幅の光で照射されている間に身体部分の画像を画像取得装置で取得することと；
当該画像を処理して身体部分の少なくとも１つの特徴に関する情報を抽出することを有する美容分析方法。
【請求項４７】
表示装置の近くであって画像取得装置の取得フィールド内に身体部分を配置させるように対象者へ指示する手段と；
身体部分を照射するための所定の波長幅の光を発生させるために表示装置に信号を送る手段と；
身体部分が、表示装置から発生した所定の波長幅の光で照射されている間に身体部分の画像を画像取得装置で取得する手段と；
当該画像を処理して身体部分の少なくとも１つの特徴に関する情報を抽出する手段を有する美容分析システム。
【発明の詳細な説明】
【０００１】
【発明の属する技術分野】
本発明は、美容分析を実施するための方法、組み合わせ、装置、およびシステムに関する。本発明は、画像を取得するための方法、組み合わせ、装置、およびシステムにも関する。ある実施例では、本発明は、画像取得とオンライン診断を統合する。
【０００２】
最も広義には、本発明は美容製品に限定されない。しかし、本発明の原理を読者に伝達する目的で美容製品の例が使用されている。
【０００３】
典型的には、非常に個人的な美容サービスは美容施設において利用することができる。そのような施設として、スパ、サロン、特別の販売所が挙げられる。そのような施設を利用する利点は、専門家が対象者の身体外部の状態を検査し、直接観察することができる点である。肌科医、美容師、肌／毛髪の専門家、または他の信頼のおける専門家は、対象者が適切な美容製品を選択するのを助けるための経験および／または量的な道具を有する。
【０００４】
インターネットの進歩に伴い、美容製品を販売し、美容アドバイスを提供する多数のポータルが現れている。しかし、対象者を実際に検査・観察しないため、このアドバイスは一般的なものになりがちである。実際、これまで、個人的且つ量的な分析は、電子的な商業チャネルと相容れるものであるとは考えられていなかった。
【０００５】
【特許文献１】
ＵＳ５，７５１，８２９号公報
【特許文献２】
ＵＳ６，０９１，８３６号公報
【特許文献３】
ＵＳ６，２６０，０２４号公報
【特許文献４】
ＵＳ６，２９３，２８４号公報
【特許文献５】
ＵＳ２００１／００１１８１８号公報
【特許文献６】
ＵＳ２００１／００１４８６８号公報
【特許文献７】
ＵＳ２００２／００２４５２８号公報
【特許文献８】
ＵＳ２００２／００５４７１４号公報
【特許文献９】
ＥＰ０２２６９５９号公報
【特許文献１０】
ＥＰ１０３０２６７号公報
【特許文献１１】
ＥＰ１１３４７０１号公報
【特許文献１２】
ＥＰ１１６９９６４号公報
【特許文献１３】
ＷＯ０１／０４８４０号公報
【特許文献１４】
ＷＯ０１／０４８３８号公報
【特許文献１５】
ＷＯ０１／１８６７４号公報
【特許文献１６】
ＷＯ０１／２０５１７号公報
【特許文献１７】
ＷＯ０１／５７７７１号公報
【特許文献１８】
ＷＯ９９／２３６０９号公報
【特許文献１９】
ＷＯ００／３３２７１号公報
【特許文献２０】
ＷＯ００／７６３９８公報
【特許文献２１】
ＷＯ０１／７７９７６号公報
【特許文献２２】
ＷＯ０１／８０１２２号公報
【特許文献２３】
ＷＯ０１／８７２４５号公報
【特許文献２４】
ＷＯ０１／９１６００号公報
【特許文献２５】
ＷＯ０１／９１６０１号公報
【特許文献２６】
ＷＯ０２／０３２３２号公報
【特許文献２７】
ＷＯ０２／０５２４９号公報
【特許文献２８】
ＥＰ１０３０２６７号公報
【特許文献２９】
ＥＰ１１３４７０１号公報
【特許文献３０】
ＷＯ９８／２０４５８号公報
【特許文献３１】
ＷＯ００／４３９５６号公報
【特許文献３２】
ＷＯ０１／４６９０６号公報
【非特許文献１】
Ｙｉｎ　ＷＵ，　ｅｔ　ａｌ．，　”Ａ　ＰＬＡＳＴＩＣ−ＶＩＳＣＯ−ＥＬＡＳＴＩＣ　ＭＯＤＥＬ　ＦＯＲ　ＷＲＩＮＫＬＥＳ　ＩＮＦＡＣＩＡＬ　ＡＮＩＭＡＴＩＯＮ　ＡＮＤ　ＳＫＩＮ　ＡＧＩＮＧ”，　ＭＩＲＡＬａｂ，　１９９８．
【非特許文献２】
Ｃａｔｈｅｒｉｎｅ　ＰＥＬＡＣＨＡＵＤ，　ｅｔ　ａｌ．，　”Ｆｉｎａｌ　Ｒｅｐｏｒｔ　ｔｏ　ＮＳＦ　ｏｆ　ｔｈｅ　Ｓｔａｎｄａｒｄｓ　ｆｏｒ　Ｆａｃｉａｌ　Ａｎｉｍａｔｉｏｎ　Ｗｏｒｋｓｈｏｐ”，　Ｔｈｅ　Ｉｎｓｔｉｔｕｔｅ　ｆｏｒ　Ｒｅｓｅａｒｃｈ　ｉｎ　Ｃｏｇｎｉｔｉｖｅ　Ｓｃｉｅｎｃｅ，　Ｕｎｉｖｅｒｓｉｔｙ　ｏｆ　Ｐｅｎｎｓｙｌｖａｎｉａ，　ＩＲＣＳ　Ｒｅｐｏｒｔ　９４−２１，　Ｎｏｖ．　１９９４，　ｐｐ．　１−６２．
【非特許文献３】
Ａ．　Ａ．　Ｂｕｋｈａｒａｅｖ　ｅｔ　ａｌ．，　”ＡＦＭ　ｉｎｖｅｓｔｉｇａｔｉｏｎ　ｏｆ　ｓｅｌｅｃｔｉｖｅ　ｅｔｃｈｉｎｇ　ｍｅｃｈａｎｉｓｍ　ｏｆ　ｎａｎｏｓｔｒｕｃｔｕｒｅｄ　ｓｉｌｉｃａ”，　１９ｔｈ　Ｅｕｒｏｐｅａｎ　Ｃｏｎｆｅｒｅｎｃｅ　ｏｎ　Ｓｕｒｆａｃｅ　Ｓｃｉｅｎｃｅ，　Ｍａｄｒｉｄ，　Ｓｐａｉｎ，　Ｖｏｌ．　４８５，　ｐｔ．　２，　Ｓｅｐｔ．　５−８，　２０００，　ｐｐ．　１３１９−１３２４．
【０００６】
本発明で開示されているのは、従来の検査分析施設から遠隔地でも利用可能な美容支援の質を向上するための様々な機構である。
【０００７】
本発明の例示的な第一の特徴は、身体外部の状態の分析を容易にするための方法に関する。当該方法は、少なくとも１つの身体外部の状態の分析の提供を申し出ることを含み得る。分析依頼が依頼者から受取られると、依頼者は、身体外部の状態の画像を転送するためのコンピュータプログラムにアクセスできる。依頼者から転送された身体外部の状態の画像は評価され、その評価による情報は依頼者へ提供される。
【０００８】
分析を容易にする第二の例示的な方法は、さらに、当該分析を容易にするためのパッケージを依頼者に提供することを含んでいてよく、当該パッケージは、身体外部の状態の画像を取得するための画像取得装置を含む。当該パッケージには、様々な検査材料がさらに含まれていてよい。
【０００９】
画像取得を修正する例示的な方法は、画像取得装置を使用して参考画像に隣接した身体部分の画像を修正することを含み得る。参考画像を反映した情報と画像修正を処理することによって、修正情報が発生する。画像取得装置および／または当該装置のためのドライバは、当該修正情報を利用して修正されてもよい。
【００１０】
身体部分の画像を容易に取得するための例示的方法は、自身の身体部分（例えば顔面）を画像取得装置の近くに（例えば、画像取得装置の取得のフィールドに）配置するように対象者に指示することを含み得る。対象者の顔面の第一画像は、画像取得装置を使用して取得され、その後処理される。処理には、少なくともおおよその第一の位置を計算することが含まれてよい。さらに、計算された第一の位置は、所望の参考位置と比較されて、その後、自身の身体部分を所望の参考位置のより近くに移動させるように対象者に指示が出されてもよい。対象者の身体部分の第二の画像は、対象者の移動が完了してから取得される。
【００１１】
美容分析方法を提供するための例示的な方法は、身体部分を表示装置の近く且つ画像取得装置の取得のフィールド内に配置させるように対象者に指示することを含み得る。身体部分を照射するために所定の波長幅の光を発生させるために、表示装置には信号が送信され得る。身体部分の画像は、身体部分が表示装置から発光した光によって照射される間に画像取得装置によって取得される。
【００１２】
本発明の他の特徴は、１以上の方法の少なくとも一部を実行するためのシステムに関係する。
【００１３】
さらなる特徴は、少なくとも１つの、美容関連情報を収集するための道具、画像取得装置、および当該画像取得装置を駆動させるためのドライバを含む組み合わせに関する。
【００１４】
以上のセクションは、読者に本発明のいくつかの特徴を伝えることを意図している。従って、上記の記載と下記の詳細な説明はともに、例示的且つ説明的なものに過ぎず、特許請求に記載された本発明を限定するものではない。
【００１５】
本明細書に取り込まれ、その一部を構成する添付の図面は、本発明のいくつかの特徴を例示し、詳細な説明とともに、本発明の原理を説明するものである。
【００１６】
以下では、添付図面に例示された本発明の特徴を詳細に説明する。可能な限り全図面にわたって同一または同様の部分には同一の参照番号を付した。
【００１７】
本発明の一実施態様は、身体外部の状態の分析を容易化するための方法を含み得る。容易化は、例えば、当該顧客に情報またはガイダンスを提供することによって達成することができ、それによって、顧客による身体外部の状態の分析への参加を促進することができる。そのような促進は、対象者に広告品や補足的なサービスを提供することによってなされてもよい。分析は、肌のきめ、肌の弾力性、肌または毛髪の乾燥、セルライト、発汗、老化、しわ、黒色腫、脱皮、剥離、肌または毛髪の色の均一性、微小循環、肌または毛髪の輝き、肌または毛髪の柔らかさ、肌または毛髪の滑らかさ、保水性、皮脂の生成、肌または毛髪の清潔性、刺激性、赤色化、血管運動、血管拡張、血管収縮、色素沈着、そばかす、脱毛症、薄毛、顔の特徴の大きさや比率、または他のいかなる視認可能な身体外部の状態の検査も含む。
【００１８】
本発明によると、方法は、少なくとも１つの身体外部の状態の分析の提供を申し出ることを含み得る。これは、図１のフローチャートにおけるブロック１０２に図示されている。この申し出は、書面または口頭によるものであってもよく、速達便での申し出、暗示的な申し出、直接的な申し出、間接的な申し出の少なくとも１つを提供することを含み得る。この申し出は、上記分析について説明している情報、宣伝、または勧誘によって実現され得る。さらに、第一者は、この申し出の提供を、単独でまたは第三者の専門業者と一緒に実施してもよい。例えば、ウェブページ上のテキストにより、対象者は分析を求めるようにウェブのホスティング会社から直接案内を受けてもよい。または、同様のテキストによって、実施する分析を第三者が間接的に申し出てもよい。
【００１９】
申し出は、電子広告または印刷媒体によってなされてもよい。電子広告は、電子メールまたはファクシミリによってネットワーク上を転送されてもよく、受取人のコンピュータで作動するように構成されたソフトウェアによって物理的または電子的に転送されてもよく、または、個人を第三者のウェブサイトに導くインターネットリンクまたはポップアップ広告等、様々なウェブサイトに組み込まれていてもよい。申し出を含む印刷媒体は、郵便、ファクシミリ、チラシ、雑誌として配布されるか、または店舗の内外での広告として単純に展示されてもよい。さらに、販売員が顧客となる見込みのある者に直接この申し出について話したり、電話販売員や自動電話ダイヤルサービスが、顧客となる見込みのある者に申し出るため、または録音済みのボイスメッセージ広告を提供するために電話をかけてもよい。
【００２０】
本発明によると、方法は、図１のブロック１０４に図示されたように、分析依頼を受取ることも含み得る。また、「受取り」は、ネットワーク上での依頼の受取り、口頭での依頼の受取り、電子的な依頼の受取り、電話での依頼の受取り、ハードコピーでの依頼の受取り、その他の受取り可能な機構を通じた依頼の受取りの少なくとも１つを含む。さらに、直接的であっても間接的であってもよい。例えば、受取りは、他者を代表し、他者を代理しまたは他者と協力して行動する第三者を介して行われるものであってもよい。いずれの場合であっても、このような間接的および直接的な行動は、すべて、ここで用いる「受取り」という表現に含まれる。
【００２１】
受取られた依頼の態様は、様々なもののうちの一つであってよい。それは、書面、口頭、または電子的であり得る。それは、単純に、ボックスにチェックを付ける、ボタンをクリックする、フォームを提出するまたは口頭で同意する等であってもよい。または、それは、タイプ打ちされたまたは手書きのテキスト形式の依頼であってもよい。
【００２２】
受取りは、オンラインのインタレストフォーム、電子メール、ファクシミリ、電話、双方向の音声応答システム、またはウェブサイトでのネットワーク上で電子的に転送されるファイル転送プロトコル、インターネットプロトコルアドレス、またはネットワークアカウントを通じてなされる。依頼は、上記分析を受ける対象者から、または当該対象者の代わりに行為する者から受取ってもよい。
【００２３】
本発明のいくつかの実施態様で使用されるネットワークには、ローカルエリアネットワーク、ワイドエリアネットワーク、メトロポリタンエリアネットワーク、その他の対象者のワークステーションとホストウェブサイトを接続するために適した他のいかなる種類のネットワークも含まれる。このネットワークには、一以上の有線または無線接続が含まれる。このネットワークには、公衆ネットワーク（例えばインターネット）および私設ネットワークだけでなく、仮想私設ネットワークが含まれる。より広義には、２つのノードまたは遠隔位置との間の通信を容易にするためのあらゆる機構がネットワークに含まれる。いかなる数の地理的に分散したワークステーションもネットワークに接続し、ホストウェブサイトと接続できることを当業者は容易に理解できるであろう。
【００２４】
印刷媒体は、ハードコピーの形態で受取られる。同様に、対象者は、電話で話している間に申し出に対して口頭で応答してもよい。依頼者は、オペレータに話し、誘導に応じて電話のキーパッドを押し、または、分析依頼のためにボイスメッセージを残すことができる。さらに、対象者は、販売員から直接会って申し出を受けてもよい。受取られた依頼は、申し出を受け入れた旨の表示だけでなく、対象者または依頼者の連絡住所および氏名など他の個人情報も含む。
【００２５】
本発明によると、方法は、当該分析を容易にするためのパッケージを依頼者に提供することをさらに含む。当該パッケージは、身体外部の状態の画像を記録するための画像取得装置を含む。これは図１のブロック１０６に図説されている。容易化は、パッケージに含まれる材料が分析の少なくとも一部を実行するために使用されることによって可能になり得る。このために、および本発明の特徴によると、パッケージに含まれている唯一の実質的な品目は、画像取得装置であってよい。
【００２６】
本特許を通じて使用されている「提供」とは、直接および間接的な行為を含む。つまり、パッケージを配送するために他者を雇い、他者と共に働き、または協力する者は、その者の行為が間接的であるにかかわらず、提供という行為を実行している。本書で使用されるように、「画像取得装置」は、ウェブカメラ、アナログカメラ、ディジタルカメラ、平床スキャナ、フィルムスキャナー、超音画像装置または対象者の画像を取得するために適した他のいかなる装置も含む。パッケージは、クーリエその他のいかなる物品配送サービスによって提供されてもよい。第一者は、依頼者へのパッケージの提供を、単独でまたは第三者の専門業者と一緒に実施してもよい。パッケージは、画像取得装置を作動させるためのドライバも含み得る。
【００２７】
本発明によると、画像取得装置は依頼者に無償で提供されてもよい。この場合、画像取得装置は、対象者の関心を引きつけておく双方向のマーケティング道具として機能する。あるいは、パッケージは、公正な市場価格またはディスカウント価格で提供されてもよい。
【００２８】
対象者にとって当該画像取得装置は、様々な用途を有し得るが、本発明との関係で意図されている少なくとも１つの目的は、身体外部の状態の画像を取得することである。このために、当該パッケージには、身体画像を取得するための説明が含まれていてよい。説明は、ハードコピーまたは電子的な形態であってよく、画像取得装置と一緒にまたは別個に配送されてよい。
【００２９】
パッケージには、身体外部の状態を分析するための評価道具が含まれてもよい（または、含まれなくてもよい）。評価道具には、ｐＨインジケータ、皮脂テープ、ｄ−ｓｑｕａｍｅ　ｄｉｓｃ（以下、「Ｄ−スクオム・ディスク」）およびｃｏｒｎｅｏ　ｄｉｓｑｕｅインジケータ（以下、「角質インジケータ」）の少なくとも１つが含まれ得る。対象者は、電子的なまたはハードコピーの説明に従い、ｐＨインジケータを使用して肌または頭皮のｐＨ値を検査することができる。同様に、対象者が皮脂テープを使用して皮脂、および脂質等の液体を肌または頭皮の表面から除去し、肌の脂性を表示させることができ、Ｄ−スクオム・ディスクを使用して肌または頭皮の表面から薄片を除去し、肌の乾燥性を表示させることができる。角質インジケータは、表皮上から水分を吸収し、少なくとも肌の表皮部分の保湿性／湿潤性を表示することができる。
【００３０】
様々な費用および範囲の他の検査も、当該パッケージに含まれていてよい。例えば、検査材料には、肌の弾性を測定するための手段が含まれていてよい。同様に、検査材料は、ホルモン検査、酵素検査、または身体外部の状態が反映されるその他のいかなる測定も含み得る。検査材料には、（ハードまたはソフトの形態で）様々な色彩表も含まれていてよく、対象者は身体外部の状態と比較するために使用できる。例えば、対象者は、自身の身体状態を最もよく表す表を選択することによって、肌または毛髪の色調、肌または毛髪の色、しわ、にきび、脱毛、薄毛、およびまたはそばかすの量と重度を判定することができる。肌荒れは、肌のきめを判断するための参考としての触覚検査材料を使用して判定することができる。同様の触覚検査材料は、毛髪および肌のきめと色に関して使用することができる。比較は、効果を高めるために特定の製品を肌に適用した後に完了してよい。さらに、検査材料は、肌荒れの程度を判定するために対象者が肌のきめを比較する材料を含み得る。
【００３１】
パッケージが複数の品目を含む場合、全ての品目は、一まとまりで送付されてよい。あるいは、パッケージは、同時または別の時に送付される複数の小包を含んでもよい。パッケージは、例えば、対象者本人が小売店舗で引き取る材料と後から宅配便で送付される材料を含んでもよい。
【００３２】
検査材料は、診断所で実施可能な一または複数の検査を有するバウチャーを含み得る。指示は、自己検査（単独でまたは知人の補助を受けて）の方法について提供されてよく、指示には自己検査の結果を解釈する方法についての指示がさらに含まれていてもよい。あるいは、指示には、使用後の自己検査材料を分析の専門業者に転送する方法についての情報も含まれてよい。このために、専門業者へ転送するためのバウチャーまたは他の承認機構がパッケージの一部として提供されてもよい。
【００３３】
自己検査材料の代わりに、含まれたバウチャーまたは承認用機構によって検査施設で直に分析を受けることができてもよい。その場合、対象者に近くの検査施設を通知し、ここで対象者本人によるバウチャーの引き換えが行われてもよい。検査施設では、対象者の頭皮または肌の水分量を測定するための角質水分測定装置、肌の弾性を測定するための肌粘弾性測定装置、肌のメラニン指数とヘモグロビン（紅斑）指数を測定するためのメラニン測定装置、頭皮または肌の皮脂内容を測定するための皮脂測定装置、肌または頭皮のｐＨを測定するための肌ｐＨ測定装置、肌荒れを測定するための肌の視覚検査装置（ｓｋｉｎ−ｖｉｓｉｏｍｅｔｅｒ）、ＳＰＦ分析を実施するための日焼け防止診断、肌水分透過量を測定するための肌水分蒸散量測定装置、肌表面を測定するためのビジョスキャン（ｖｉｓｉｏｓｃａｎ）、肌の透明度や輝度を測定するためのクロマメータ（ｃｈｒｏｍａｍｅｔｅｒ）、肌の保湿性を測定するためのインピーダンス測定、肌の柔軟性を測定するための気体軸受け電流力計、肌表面の柔軟性ときめを測定するための肌の複製または画像分析、肌の防御機能を測定するためのＴＥＷＬ、血流または肌の敏感性を測定するためのレーザードップラー、肌や脂肪組織の厚みを測定するための超音、外傷数の測定とにきび研究の細菌学、および肌の硬度を測定するためのバレストメトリ（ｂａｌｌｅｓｔｏｍｅｔｒｙ）の少なくとも１つが使用され得る。毛髪の保湿性や柔軟性、毛髪の引張強さ、活性物質（ａｃｔｉｖｅｓ）の毛髪への浸透、毛髪の組成、および紫外線カット等も判断され得る。上記に記載の検査と検査の材料は包括的であるわけではなく、本書で使用されている検査および検査材料は、身体外部の状態を評価するためのいかなる方法および製品も網羅することが理解されなければならない。
【００３４】
本発明によると、方法は、図１のブロック１０８に図示されたように、画像取得装置を使用して身体外部の状態の画像を取得する方法に関する指示を提供することを含む。指示は、電子的に、電話で、口頭で、ソフトウェアを通じてまたはハードコピーの形態で提供され得る。さらに、それらは、先述したように直接的または間接的に提供されてもよい。指示は、対象者がネットワーク上でアクセス可能なウェブサイトにおいて電子的に提供されてもよく、電子メールを通じてまたはファイル転送プロトコルによってネットワーク上を転送されてもよい。さらに、対象者は、指示を電子的に提供するために対象者のコンピュータ上で作動するように構成されたソフトウェアを受取ってもよい。
【００３５】
指示は、画像取得装置のコンピュータへの接続方法についての情報を含んでもよい。例えば、指示は、画像取得装置をコンピュータのユニバーサルシリアルバス（ＵＳＢ）、ＰＣＩまたはＡＳＰポートのためのＳＣＳＩカード、それ以外の専用カード、パラレルポートに接続する方法を説明するものであってもよい。指示には、いつ、どこで、どのように画像取得装置を使用するのかについての情報が含まれていてもよい。例えば、指示は、照明目的のために一日のある特定の時間に画像取得装置を使用すること、または特定の光源を用いて暗室で使用することを提案するものであってよい。また、指示は、洗顔や、任意の他の美容製品を適用してから所定の時間経過後に画像取得装置を使用することを提案するものであってもよい。例えば、指示は、画像取得装置の使用前に、洗顔および／または美容製品を適用した後に数時間待つことを提案するものであってもよい。さらに、指示は、カメラに対してどの位置に立つか、および画像処理装置をどのように配置するかを指示してもよい。
【００３６】
本発明によると、方法は、評価場所に身体外部の状態を取得した画像を転送する方法についての指示を提供することを含み得る。これは、図１のブロック１１０に図示されている。これらの指示は、画像取得装置の使用説明に関して上記に記載した場合と同様の態様で送られてもよい。これらの指示は、インターネット等のネットワーク上で画像を転送する方法を使用者に伝えるものであってよい。あるいは、指示は、記憶媒体に取得された画像を保存し、物理的に記憶媒体を指定場所に送るように使用者に伝えるものであってよい。記憶媒体としては、フレキシブルディスク、ロメガジップ（ｌｏｍｅｇａ　ｚｉｐ）ディスク、およびテープ等の磁気記憶装置、コンパクトディスクおよびディジタルビデオディスク等の光学記憶装置、有機記憶装置、ランダムアクセスメモリ、読み取り専用装置、印刷媒体、または他のいかなる情報記憶媒体も挙げられる。指示は、使用者に取得された画像を印刷し、印刷された画像を郵送またはファクシミリで指定場所に送付するように使用者に伝えるものであってよい。
【００３７】
さらなる実施例としては、使用者は、取得された画像を電子的にクライアント側のアルゴリズムまたはサーバー側のアルゴリズムに提供するよう指示されてよい。クライアント側のアルゴリズムは、受信者に送付された後に受信者のコンピュータ上で作動するように構成された記憶媒体に与えられてもよい。サーバー側のアルゴリズムは、受信者から遠隔の場所でおよび／または第三者の専門業者を通じて提供されてもよい。受信者は、当該アルゴリズムをネットワーク上でサーバー側のアルゴリズムに提供してもよい。当業者であれば、第一者は、単独で、または第三者の専門業者と共同で、記録された画像の転送方法を使用者に指示できることを理解するであろう。
【００３８】
本発明によると、方法は、図１のブロック１１２に図示されたように、取得された画像を評価場所で受取ることを含み得る。上記に記載のように、取得された画像は、電子的に、電話で、ソフトの形態でまたはハードコピーで受取られてもよい。電子的な受信は、ネットワークにおけるノードで発生する。物理的な受取りは、視的にまたは電子的に身体外部の状態を評価する業者の関連施設で行われる。例えば、技術者は、脂性肌であることを示す、身体外部の状態の画像に表示されたてかりに気づくことができる。または、顔のしわの重度や重症度に気づくことができる。上記に記載のように、受取りは直接または間接に行われる。
【００３９】
本発明によると、方法は、受取られた画像を評価することを含み得る。これは図１のブロック１１４に図示されている。用語「評価」は、これに制限されるものではないが、画像の観察、マーキング、追跡、記録、グラフ化、測定、計算、予想、およびモニタリングを含む。例えば、評価は、対象者の身体外部の状態における望ましいまたは望ましくない状態の測定基準を作成することを含み得る。しわに対する測定基準の例としては、（例えばしわの深さと領域比率から計算された）平均的な密度、範囲、重度、頻度、タイプおよび重症度が挙げられる。てかりに対する測定基準の例としては、（例えば反射指数から計算された）てかりの範囲、重度、頻度、タイプおよび重症度が挙げられる。
【００４０】
身体外部の状態評価のために画像処理技術および／またはソフトウェアを使用してもよい。画像を処理するための技術は、状態を特定するために受取った画像の２値化することを含む。２値化は、画像のコントラストを高め、状態検出を容易にする。フーリエ変換、高速フーリエ変換（ＦＦＴ）、および／または離散的コサイン変換は画像の全体または一部分にわたって実行され、その結果、係数が得られる。当該係数に基づいて、従来技術において知られているように、状態を特定することができる。ファジー理論、ニューラルネットワーク、遺伝プログラミング、決定木プログラミング等の人工知能を使用して状態を特定することもできる。ニューラルネットワークを訓練しこれらの機能を達成させるための方法は、当業者にすでに知られている。あるいは、画像を１または複数のディジタルフィルタに通過させて、特定の状態を見つけることができる。これらの実施例は、本発明の技術的な範囲と精神の範囲内であれば、いかなる画像処理技術も利用可能であるとの理解のもとで例示的に記載したものである。
【００４１】
本発明によると、技術者または当業者が画像を目で見て診断してもよい。
【００４２】
他のステップでは、「評価」は、直接的または間接的に実行され得る。間接的な評価の例としては、評価機能を実施する第三者と提携することが挙げられる。
【００４３】
本発明によると、方法は、受取った画像を評価した結果得られた情報を提供することを含み得る。これは、図１のブロック１１６に図示されている。「提供」は、評価の結果得られた情報を対象者に届けるために上記に記載された機構を利用してなされ得る。例えば、対象者は、彼女の年齢にしては通常ではない重度のしわを有していることを通知される。提供される情報は、その状態への処置方法があるか否かも通知するものであってもよい。さらには、当該情報には、推奨製品の所在が含まれていてもよい。例えば、当該方法では、個人に対して、直接的または間接的に１または複数の美容製品（例えば美容物質および／または美容サービス）を提案する、様々な形態のアドバイスが提供され得る。そのような提案は、当該個人からの特定の依頼に応じてなされるか、または、電子的または物理的なチャネルを通じて提供された特定の個人情報の収集に応じて作成されてもよい。処方箋では、特定の製品の使用、製品の等級、および／または製品のブランド等が提案され得る。製品の推奨に加えて、処方箋には、予防手段、治療手段、生活様式または食事に関する推奨、または対象者と相関関係のある他のいかなるアドバイスまたはガイダンスも含まれてよい。処方箋には、製品の塗布および使用に関するアドバイスが含まれてもよく、含まれなくてもよい。
【００４４】
本発明のさらなる実施態様では、図２のフローチャートに図示されているように、身体外部の状態の分析を容易にするための方法が具体化されている。この実施態様は、図１の実施態様と多くの面で類似している。しかし、画像取得装置（図１のブロック１０６）を含むパッケージを提供し、依頼者に画像取得装置の使用方法を説明する（図１のブロック１０８）のではなく、図２の実施態様には、身体外部の状態の画像を転送するためのコンピュータプログラムへのアクセスを提供することが含まれる（図２のブロック２０６）。図２のブロック２０６は、少なくとも１つの身体外部の状態の分析を提供することを申し出（図１のブロック１０２と類似したブロック２０２）、分析依頼を受けた後（図１のブロック１０４に類似したブロック２０４）、実行され得る。
【００４５】
コンピュータプログラムへのアクセスを提供することには、ネットワーク上でコンピュータプログラムへのアクセスを提供すること、および、対象者のワークステーションまたはコンピュータ上で作動するように構成されたコンピュータプログラムを対象者に対して作成または分配することの少なくとも１つが含まれる。例えば、第一者は、使用者がネットワーク上でコンピュータプログラムを使用できるようにウェブサイトを管理するか、またはそのようにウェブサイトを管理する第三者の専門業者と契約してもよい。使用者はコンピュータプログラムを、ホストウェブサイトからダウンロードして受取るか、ファイル転送プロトコル（ＦＴＰ）を介してそれを受取人の傍のワークステーションへ配信させることによって受取ってもよい。また、電子メールメッセージの添付としてそれを受取ってもよい。さらに、コンピュータプログラムを取得するためのその他いかなる方法によっても受取ることができる。コンピュータプログラムは、ソフトウェア、ハードウェア、またはそれらを組み合わせた形態で提供され得る。
【００４６】
コンピュータプログラムへのアクセスは、分析の対象者に提供され得る。あるいは、対象者に代わって行為する者に提供されてもよい。
【００４７】
あるいは、第一者および／または第三者の専門業者は、フレキシブルディスク、テープ、コンパクトディスク、ディジタルビデオディスク、有機記憶装置、ロメガジップディスク、または対象者のワークステーションにおいて実行するように構成されたコンピュータプログラムを含む他の任意の記憶媒体を作成しまたは対象者に提供することによってシステムアクセスを可能にしてもよい。受取人のワークステーションは、ホームコンピューティングシステム内で具体化されてもよいし、キオスクや移動通信装置に配置されてもよいし、サロン、事業所、または小売店の専門家が実行する処理システムの一部であってもよい。上記に具体化されたように、対象者のコンピュータ上で作動するように構成されたコンピュータプログラムは、クーリエ、フェデックス、ＵＰＳ、米国郵便公社、または他の任意の公的または私的なクーリエサービスを使用して対象者に配送され得る。
【００４８】
本発明によると、方法は、転送された身体外部の状態の画像を受取り（ブロック２０８）、受取った画像を評価し（ブロック２１０）、評価の結果得られた情報を提供する（ブロック２１２）ことを含み得る。図２に図説されたブロック２０８、２１０、２１２は、図１のブロック１１２、１１４、１１６にそれぞれ類似している。
【００４９】
図３のフローチャ−トに例示されたように、本発明のさらなる態様は、画像取得の修正方法も含む。本発明の当該方法は、修正された表示装置に参考画像を表示することを含んでもよい。これは、ブロック３０２に図示されている。「表示」には、参考画像を表示するための、クライアント側のアルゴリズムとサーバー側のアルゴリズムの少なくとも１つへのアクセスの提供が含まれていてもよい。さらに、「表示」は、表示を起こす直接的な行為だけではなく、表示を容易にするための間接的な行為も含む。間接的な行為には、エンドユーザにソフトウェアを提供すること、ユーザによる表示に対する作用を可能にするウェブサイトを維持すること、そのようなウェブサイトへハイパーリンクすること、または、そのような直接的または間接的な行為を実施する者と協力若しくは提携することを含む。このように、第一者は、参考信号を表示装置上に発生させるために単独で作業するかまたは第三者たる専門業者と協力してもよい。
【００５０】
表示装置は、モニタ等の、参考画像を表示するための適当ないかなる装置も含み得る。一実施例において、表示装置は、表示結果の評価、訂正、および／または改良に使用するための任意の従来のソフトウェアを使用して修正された装置（例えば、モニタ修正ソフトウェアを使用して調整されたカラーモニタ）であってよい。
【００５１】
そのような修正技術は、例えば、ＲＧＢ表示モードからＣＭＹＫ印刷モードへの転送を行うヒューレットパッカードおよびレックスマークプリンタドライバにより利用することができる。
【００５２】
あるいは（またはさらに）、特別照明装置（例えば、サロンに設置された特別の照明装置）を使用して、情報を得ることができ、該情報はその後、表示を修正するために使用できる。
【００５３】
表示装置が修正されると、表示装置上の参考画像の正確な色を知ることができる。身体部分が参考画像の傍にある場合、画像取得装置を使用して、身体部分と参考画像の両方の画像を同時に取得することができる。色整合はその後決定されてもよい。その後、画像取得装置（またはそのドライバ）が修正されてもよい。
【００５４】
本発明による方法には、表示装置に参考画像を表示することではなく（またはそれに加えて）、対象者に参考画像を提供することが含まれてもよい。「提供」には、参考画像を作成すること若しくは物理的に、電話で若しくは電子的に対象者へ送ること、当該参考画像へのネットワークアクセスを提供すること、または、対象者のワークステーションまたはコンピュータ上で作動するように構成された参考画像を含んだソフトウェアを対象者へ作成すること若しくは送ることが含まれ得る。ある実施例では、参考画像の提供は、対象者がハードコピーの形態の参考画像をプリンタを通じて得ることを可能にすることを伴ってよい。例えば、（例えば、データ記憶装置によって電子的に、またはハードコピーによって物理的に）情報、ソフトウェア、および／または指示を転送することができ、および／またはそうでない場合には、（例えばネットワーク上で）これらを入手可能にすることにより対象者がプリンタを使用して参考画像をハードコピーの形態で簡単に印刷できるようにすることもできる。そのような実施態様では、プリンタは、印刷結果を評価、訂正、および／または改善するための従来のソフトウェアを使用することによって修正されたプリンタ（例えば色訂正ソフトウェアを使用して修正されたカラープリンタ）であってよい。
【００５５】
参考画像は、複数色のカラーバーおよび／または複数色の見本（ｓｗａｔｃｈ）を含んでもよい。複数色は、様々な肌の色調、肌の色、および／または肌の複製を表すものであってよい。様々な肌の色調または肌の色には、例えば、単調な範囲の不連続的または連続的な色調および色が含まれていてよい。図４Ａには不連続な色の範囲が、４Ｂには連続的な色の範囲がそれぞれ図示されている（グレースケールで描かれている）。
【００５６】
あるいは、肌の複製には様々な連続的または不連続的な肌の複製またはパターンが含まれ、それぞれの肌パターンには、少なくとも１色が含まれている。物理的な形状の肌の複製は、例えば検査キットに含まれていてもよい合成見本（ｓｗａｔｃｈ）を含み得る。画像形態の肌の複製は、肌の実際の画像または合成画像を含み得る。肌の複製またはパターンは、肌の色または色調のバリエーションの程度だけでなく、肌の一領域の支配的な色または色調を表すものであってよい。特に、肌の複製は、そばかす、ほくろ、毛髪、しみ、汚点、または他の肌の異常のレベルを示すことができる。支配的な１色についての不連続な肌のパターンを有する例示的な肌の複製が図５に図示されている。本発明の技術的な範囲および精神の範囲内であれば、肌パターンは、様々な形態および様々な肌の色調と色で提供可能であることを当業者ならば容易に認識できるであろう。
【００５７】
本発明によると、方法は、参考画像の傍に身体部分を配置するように対象者に指示することを含み得る。これが図３のブロック３０４に図示されている。例えば、対象者は、腕、手、顔面その他の身体部分を図４Ｃに図示されたように、表示装置に表示された参考画像の近くに配置するように指示されてもよい。図４Ｃは、ウェブカメラ４１０を使用して、表示装置４０８に表示された参考画像４０２の近くに配置した腕４０６の画像を取得する様子を図示する。
【００５８】
上記指示は、さらに、表示された参考画像と身体部分を同時に画像取得装置で取得できるような位置に身体部分を配置するよう対象者にアドバイスするものであってよい。このように、語「傍（近く）」には、身体部分と参考画像を画像取得装置によって一緒に取得することができるすべての位置が含まれる。「対象者に指示」という語は、上記に記載のように対象者へのネットワーク上での指示の伝達、ソフトウェアでの対象者への指示の伝達、およびハードコピーでの対象者への指示の伝達の少なくともいずれか１つを含む。この語は、対象者に代わって行為する者への指示の提供も含む。第一者は、対象者に指示をするために単独で行動してもよいし、第三者の業者と協力してもよい。
【００５９】
本発明によると、方法は、画像取得装置を使用して、参考画像の傍の身体部分の修正画像を取得することを含み得る。これが図３のブロック３０６に図示されている。本書に記載されている、「取得」は、直接的に（例えば画像取得装置を操作することによって）または間接的に（例えば、修正画像を得るために画像取得装置の操作を可能または容易にして）実行される。例えば、取得は、上記に説明したように、画像取得装置の使用方法についての指示を提供することによって実行されてもよい。修正画像の取得には、画像取得装置に修正画像を取得させるためのクライアント側のアルゴリズムとサーバー側のアルゴリズムの少なくとも１つへのアクセスを提供することが含まれる。取得には、顔の画像を取得せよとの対象者からの指示の受信、顔の画像がもうすぐ取得される旨の対象者への通知、および顔の画像が取得されたときの対象者への通知の少なくとも１つが含まれ得る。一例では、参考画像および／または身体部分は、修正画像を取得するときには、画像取得装置から離れていてもよい（例えば、参考画像およびまたは身体部分は修正画像を得るために使用された画像取得装置とは接触していないおよび／または物理的な接続がない）。
【００６０】
一例には、参考が表示装置に表示されており、ここで表示装置は、参考画像の範囲を除いて暗くなっていてもよく、スクリーンからの出射光は画像取得修正の障害とならない。あるいは、参考画像以外のスクリーン部分における照明は、画像取得の間身体部分を照らすために修正することができる。
【００６１】
本発明によると、方法は、図３のブロック３０８に図示されたように、参考画像を反映した情報と修正画像を処理することによって修正情報を発生させることを含み得る。「修正情報を発生させること」は、参考画像に関する情報と修正画像に対する任意のタイプの画像処理または分析を実行することを含み、それらは、画像取得装置および画像取得装置のためのドライバ（例えば、ソフトウェア、プロセッサおよび／または作動を可能にするための画像取得装置に付属したハードウェア）を修正するための情報を作成および／または記憶するために使用され得る。修正情報の発生は、直接的な行為（例えば、修正を実行する）または間接的な行為（例えば、修正画像の発生を可能にするおよび／または容易にする情報、アルゴリズム、およびまたはソフトウェアを転送および／または利用可能にすること）によって実施され得る。「参考画像を反映した情報」は、参考画像それ自体およびまたは参考画像に関するデータ（例えば、実際の色および／または参考画像における色分布を示す情報）であってよい。
【００６２】
修正情報を作成することには、修正画像における身体部分の少なくとも１色と参考画像の少なくとも１つの既知の色を比較することが含まれてよい。例えば、参考画像が図４Ａおよび図４Ｂに図示されたような単調な範囲の肌の色調または肌の色を有する場合、修正画像は、比較より先に、支配的な色を判断するためにフィルタリングされるか、そうでない場合には処理される。例えば、図６Ａは、修正画像として取得された腕の画像を図示している。図６Ｂで拡大して図示された取得画像６０２の少なくとも１部分は、ほくろ、しわ、しみ、毛髪、または他の異常を画像から除去するためにディジタルフィルタまたは他の処理技術を用いて処理され、図６Ｃに図示されたように、支配的な色または色調６０２Ｃが判断される。
【００６３】
支配的な色または色調を判断した後、フィルタリングされた修正画像は、参考画像の少なくとも１つの既知の色と比較されてもよい。例えば、図６Ｃの補正画像６０２Ｃは、図４Ａと４Ｂにそれぞれ図示された参考画像４０２、４０４の少なくとも１つの色と比較されてもよい。当該比較に基づいて、修正画像６０２Ｃの色と最も類似した参考画像の色を、対象者から遠隔地または近隣の地に設けられたデータベースに修正情報として保存してもよい。カラーバーの色数は、既知であるから、肌とカラーバーの単一画像は、画像取得装置の正確な修正を可能とするであろう。あるいは、カラーバーまたは肌の複製バーが物理的な形態で対象者に提供された場合、画像取得装置は、同一画像内で、肌上のまたは肌の近くのカラーバーの画像を取得し得る。
【００６４】
参考画像が様々な肌の複製を有する場合、修正画像は、フィルタリングなしで、図５の参考画像５００等の参考画像と比較されてもよい。このようにして、当初の修正画像６０２に最も類似した肌の複製を自動的に選択し、修正情報としてデータベースに保存できる。
【００６５】
本発明によると、方法は、修正情報を使用して、画像取得装置および／または画像取得装置のためのドライバを修正することを含み得る。これは、図３のブロック３１０に図示されている。「修正」には、修正情報に基づいて後続の取得画像を修正することが含まれる。例えば、後続取得画像の色、色調、肌の複製／パターンを、修正情報として保存した色、色調、肌の複製／パターンに似るように調整することができる。このように、対象者の身体外部の状態の正確な画像を、様々な照明条件のもとで表示装置に表示することができる。本書に記載された方法の他の特徴と同様に、修正は、直接的または間接的な行為（例えば、修正を可能にするおよび／または容易にする情報、ソフトウェアおよび／またはアルゴリズムを提供および／または利用可能とすること）を伴ってよい。
【００６６】
その広義の意味では要求されていないが、本発明による方法は、修正された画像取得装置および／またはドライバを使用して画像を取得すること、および当該取得された画像に基づいて美容分析を提供することをさらに含み得る。美容分析は、上記に記載の身体外部の状態に関する情報を提供し得る。
【００６７】
図７のフローチャートに図示されたように、本発明のさらなる実施態様には、身体部分の画像の取得を容易にするための方法が含まれる。本発明によると、方法は、画像取得装置の取得フィールド内で対象者の身体部分を位置決めするように指示することを含み得る。これは、図７のブロック７０２に図示されている。対象者に指示することには、クライアント側のアルゴリズムまたは対象者に命令するサーバー側のアルゴリズムの少なくとも１つへのアクセスを提供することが含まれてよい。指示は、上記に開示された機構を使用して、直接的または間接的に完了され得る。ある実施態様では、「身体部分」は対象者の顔面であってよいが、当該方法は、顔面の画像化に限定されない。本書において使用される「取得フィールド」は、画像取得装置が画像を取得できる、当該装置に隣接した範囲を含む。例えば、ウェブカメラについて、取得フィールドとは、ウェブカメラの焦点の視野内の領域に関するものであってよい。
【００６８】
本発明によると、方法は、図７のブロック７０４に記載されたように、画像取得装置を使用して対象者の身体部分の第一の画像を取得することを含み得る。第一の画像を「取得すること」は、直接的または間接的に起こり、画像取得装置に第一の画像を取得させるためのクライアント側のアルゴリズムとサーバー側のアルゴリズムの少なくとも１つへのアクセスを提供することを含み得る。また、本発明によると、取得は、対象者から身体部分画像を取得せよとの指示を受信し、対象者に身体部分の画像が取得される前に対象者に通知し、対象者に身体部分の画像が取得される時に対象者に通知することを含んでもよい。「取得すること」には、取得過程の使用者を支援するためのソフトウェアを使用者に提供することが含まれてもよい。
【００６９】
本発明によると、方法は、第一の画像を処理し、それによって１または複数の画像取得装置と表示装置（例えば、身体部分の画像が表示されることとなる表示装置）に対する対象者の身体部分のおおよその第一の状態を計算することを含み得る。これが図７のブロック７０６に図示されている。「対象者の身体部分の第一の画像の処理」には、第一の画像が対象者の身体部分の全体の画像を含むか否かを判断すること、第一の画像が対象者の身体部分の一部分を含むか否かを判断すること、対象者の身体部分が第一の画像の中央部にあるか否かを判断すること、および、第一の画像における対象者の身体部分の大きさを判断することの少なくとも１つが含まれてもよい。処理は、ニューラルネットワークおよびファジー理論を含む人工知能を使用して実施されてもよい。処理は、上記に開示した任意の機構を使用して、直接的または間接的になされ得る。
【００７０】
画像処理技術は、取得された画像の顔面の特徴を抽出して分析し、それによって対象者の顔全体が取得されたか否かを判断するために使用してもよい。例えば、コンピュータプログラムは、図８Ａおよび８Ｂに図示されたように、人体頭部の外郭を抽出し、この外郭を分析して対象者の顔の全体画像が取得されたか否かを判断する。図８Ａは、対象者の顔８０２の一部の画像を図示している。画像８０４の外郭は、図８Ｂに図示されたように、抽出され得る。例えばパターンマッチング等の既知の画像処理技術を使用して画像を分析すると、外郭８０４は、人体頭部の完全な外郭に似ていないことが明らかとなる。
【００７１】
同様に、コンピュータプログラムが対象者の身体部分の他の特徴を抽出および分析し、顔全体の画像が取得されたか否かを判断することができる。例えば、コンピュータプログラムは、画像に、一組の目、口、顎および額の少なくとも１つが含まれるか否かを判断することができる。図８Ａでは、画像処理技術によって、画像８０２に口または顎が含まれていないことが明らかとされている。このように、コンピュータプログラムは、取得画像が対象者の身体部分の一部のみを示すと結論付けることができ、かつ、コンピュータプログラムは、当該部分的な画像に基づいて画像取得装置に対する対象者の位置を評価することができる。例えば、図８Ａには、対象者の顔８０２の位置決めによって、対象者の視点から見て、対象者が画像処理装置の右方向且つその焦点面の若干下方にいることが示されている。
【００７２】
同様に、取得された画像における対象者の身体部分の大きさを測定するために画像処理技術を利用してもよい。第一の画像における対象者の身体部分の大きさを評価することによって、コンピュータプログラムは、画像取得装置に対する対象者の身体部分の適当な第一の位置を判断することができる。例えば、対象者が画像取得装置から離れすぎた位置にいる場合、対象者の顔の画像は、図９Ａに図示されたように第一の画像の中の狭い範囲を占めることがある。さらに、対象者が画像取得装置のあまりに近くにいる場合には、図９Ｂに図示されたように、対象者の顔面画像の一部が取得された画像の大部分または全範囲を占めることがある。
【００７３】
本発明によると、「第一の画像を処理すること」は、第一の画像が適切に照明されているか否かを判断することを含み得る。第一の画像が適切に照明されているか否かを判断することによって、コンピュータプログラムは、表示装置に対する対象者の身体部分のおおよその第一の部分を判断することができる。例えば、処理の際、対象者の第一の画像が暗く見える場合、画像処理装置は、照明のために表示装置により近づくように対象者に指示をすることができる。あるいは、画像が暗い場合には、画像取得装置のカメラの絞りを広げ、光の透過を高めてもよい。上記に記載された方法の他の特徴と同様に、処理は、直接的または間接的な行為を伴ってよい。
【００７４】
本発明によると、方法は、図７におけるブロック７０８に図示されたように、計算された第一の位置と所望の参考画像とを比較することを含み得る。図１０に図示されたように、所望の参考位置は、画像取得装置１００２の焦点距離ＦＬに位置する焦点窓１０００の中央である位置Ｄを含み得る。焦点距離ＦＬには、画像取得装置１００２が被写体に焦点をあてる距離が含まれ、焦点窓１０００には、当該焦点距離で画像取得装置によって取得された、幅ｗ高さｈの領域が含まれてもよい。コンピュータプログラムは、画像取得装置の既知の焦点距離と既知の焦点窓の大きさに対して被写体が移動しなければならない距離を概算することができる。例えば、図８Ａでは、コンピュータプログラムは、対象者の顔の画像を焦点窓８００の中央に位置させるために対象者が移動しなければならない距離を概算することができる。当業者であれば、焦点距離と焦点窓は、様々な値を有し得ることを容易に理解するであろう。例えば、画像取得は、さらなる焦点距離と焦点窓の範囲を提供するズームレンズを有する。ここでまた、比較は、上記に記載されたような直接的または間接的な行為を伴ってよい。
【００７５】
本発明によると、方法は、図７のブロック７１０に図示されたように、対象者の身体部分を所望の参考位置近くに移動させるように対象者に指示することを含み得る。指示は、対象者に移動方法（例えば、所望の位置近くに移動するための移動方向および／または移動の程度）を指示することを含み得る。対象者への指示は、位置ずれが閾値より大きい場合、対象者に移動するように命令することを含み得る。このように、対象者の身体部分のおおよその第一の位置と所望の参考位置との間の位置ずれが許容される範囲内である場合、第一の画像は受け入れられ、処理され得る。「対象者に移動方法を指示すること」は、対象者に移動を指示するためのクライアント側のアルゴリズムとサーバー側のアルゴリズムの少なくとも１つへのアクセスを提供することを含み得る。指示は、文章または記号（例えば移動方向を示した矢印）をスクリーン上に表示して提供されてもよい。
【００７６】
本発明によると、方法は、図７に図示されたように、対象者が身体部分を移動させた後に身体部分の第二の画像を取得することを含み得る。「第二の画像を取得する」方法は、図７のブロック７０４に関して上記に説明した第一の画像を取得する方法と同様である。
【００７７】
広義の意味では要求されていないが、本発明は、対象者が閾値内になるか、または反復試行の回数が位置変え試行の最大数に到達するまで、図７に概略的に図示された方法の少なくとも一部分を繰り返すことをさらに含む。例えば、何度も位置変えが試行された後、プログラムは、対象者に技術的な支援を要求するよう指示してもよく、対象者が位置変えの試行を続けたいのか否かを質問してもよい。あるいは、位置ずれが閾値によって定義された許容範囲内になった場合、位置変えは中断されてもよい。
【００７８】
広義には要求されていないが、身体部分の画像の取得を容易にするための方法は、取得された画像に基づいて美容分析を提供することに関する。美容分析は、上記の実施態様を参照して説明された分析と類似してよい。
【００７９】
図１１のフローチャートに図示されたように、本発明のさらなる実施態様は、画像取得方法を含んでもよい。本発明において、当該方法には、図１１のブロック１１０２に図示されたように、対象者に身体部分を表示装置の近く且つ画像取得装置の画像取得フィールド内に配置させるように指示することが含まれる。「対象者に身体部分を配置させるよう指示すること」は、上記に説明された、図３のブロック３０４の指示と同様に実行されてもよい。指示は、表示装置が身体部分を十分照明できるような位置に身体部分を対象者が移動させることを促すような内容としてもよい。ある実施例では、身体部分は対象者の顔面であってよいが、当該方法は他の身体部分に実施される場合もある。
【００８０】
本発明によると、方法は、身体部分に照射するための所定の波長幅において光を発生させるために表示装置に信号を送信することを含み得る。これは、図１１のブロック１１０４に図示されている。「信号を送信すること」は、クライアント側のアルゴリズムとサーバー側のアルゴリズムの少なくとも１つへのアクセスを提供することを伴ってよい。信号の送信は、信号機能を遂行するウェブアクセスまたはソフトウェアの提供を通じて直接的または間接的に遂行してもよい。さらに、信号を送信する第三者と協力してまたは連携することによって、送信を間接的に達成することもできる。
【００８１】
信号送信は、表示装置によって発生した光を、表示装置からの光のフラッシュを達成する波長幅内にするような信号を転送することを含み得る。例えば、表示装置は、従来のカメラ、ディジタルカメラまたはウェブカメラのためのフラッシュとして機能してもよい。このように、当該方法は、画像取得場所での劣悪な照明条件を軽減することができる。さらに（または、あるいは）、信号は、表示装置から発した光の強度を修正し、身体部分の照明度を修正してもよい。ある場合には、信号は、例えば様々な照明光のレベルにおいて複数の画像が得られるように、表示装置に有効な光を発生させることなく暗くさせることができる。
【００８２】
信号は、赤光を含む波長幅内の波長で表示装置に光を発生させることができる。赤光を転送することによって、表示装置は、赤目を軽減させ、および／または身体部分の１または複数の特徴の可視化を改善することができる。
【００８３】
本発明によると、方法は、所定の波長幅の、表示装置から発生した光で身体部分が照射されている間に身体部分の画像を取得することを含み得る。これは図１１のブロック１１０６に図示されている。画像の「取得」の過程は、上記の実施態様において説明した過程と類似する。例えば、取得は、図３のブロック３０６に関して説明されたように直接的または間接的に実行され得る。画像取得のタイミングは、表示装置が光で身体部分を照明している間と同時に取得が行われるようなタイミングである。
【００８４】
広義には要求されていないが、画像取得方法は、美容分析のために使用することが可能で、さらに、身体部分の少なくとも１つの特徴についての情報を得るために画像を処理することを含み得る。処理は、上記に説明したように直接的または間接的に実行される。処理は、クライアント側のアルゴリズムおよび／またはサーバー側のアルゴリズムへのアクセスの提供を含み得る。処理は、ニューラルネットワーク等の人工知能の少なくとも部分的な使用を伴ってよい。処理は、取得画像とデータベースに維持された複数の画像との比較を伴ってよい。別の実施例では、方法は、身体部分の特徴に機能するものとして１または複数の美容製品を対象者に処方することをさらに含む。「特徴」は、肌の色調、肌のきめ、しわ、血管、毛髪、色素沈着、そばかす、肌の脂性、または上記に記載した他の身体外部の状態を含み得る。処方は、対象者に送られるべき美容製品の推奨を転送することや、そのような転送を間接的な行為を通じて容易化することを含み得る。例えば、処方は、製品の推奨を提供するソフトウェアおよび／またはネットワークへの提供されたアクセスを含んでもよい。
【００８５】
本発明の方法は、上記に記載の実施態様の少なくとも部分的な変更を含み得ることが理解されなくてはならない。例えば、図１１に図示された方法を、図７に図示された方法の少なくとも１部分と結合し、これらの方法の特徴を統合することができる。
【００８６】
本発明のさらなる実施態様は、組み合わせを含む。本発明において、組み合わせは、美容に関連した情報を収集するための少なくとも１つの道具を含む。例えば、当該道具は、身体的情報、生理的情報および／または生物学的情報を収集するように構成されてよい。
【００８７】
当該道具は、１または複数の検査材料を含み得る。例えば、検査材料は、ｐＨインジケータ、皮脂テープ、Ｄ−スクオム・ディスク、および角質インジケータであってよい。対象者は、電子的またはハードコピーの指示に従ってｐＨインジケータを使用して肌および／または頭皮のｐＨ値を検査する。同様に、対象者は、皮脂テープを使用して皮脂その他の脂質を肌または頭皮の表面から除去し、脂性を知ることができる。Ｄ−スクオム・ディスクを使用して肌または頭皮の表面から薄片を除去し、肌の乾燥性を知ることができる。角質インジケータは、表皮上から水分を吸収し、少なくとも肌の表皮部分の保湿性／湿潤性を知ることができる。
【００８８】
皮脂テープとＤ−スクオム・ディスクを使用するための指示例には、カードから皮脂テープまたはＤ−スクオム・ディスクを取り、テープまたはディスクの後ろに人差し指を置き、テープまたはディスクを額にしっかりと付け、除去するように対象者に指示することが含まれる。指示には、他の皮脂テープを使用して頬についてもこの手順を繰り返すように指示することが含まれてよい。指示は、さらに、当該材料を使用するための時期を特定し得る。例えば、検査実施前に運動、洗浄、任意の美容製品の利用があった場合、指定した長さの時間待つように対象者に指示することを含み得る。ある実施態様では、指示は、洗顔後、保湿剤、化粧品、または美容製品を肌に塗布せずにいて少なくとも５時間経った後に、額、顎、頬のあたりで皮脂測定を実施するように対象者に指示するものであってよい。角質インジケータおよびｐＨインジケータに関する指示の内容もこれに類似する。
【００８９】
皮脂テープ、Ｄ−スクオム・ディスク、および角質インジケータは、使用が簡単で、肌のタイプを正確に測定できる安価な材料である。他の検査材料には、イオンディテクター、ミネラルディテクター、オーガニックディテクターおよび／または身体的、生理的および／または生物学的なパラメータを測定可能ないかなる手段も含まれる。そのような検査を提供することによって、業者は肌のタイプを判断することに関わる予測作業を省略して、比較的低費用で対象者に直接的な視覚上の証拠を提供することができる。さらに、当該材料は、対象者の関心を引き、対象者を教育し、顧客の満足度を向上するための双方向のマーケティング道具として機能し得る。
【００９０】
費用と範囲を様々に変化させた他の検査も提供することができる。例えば、検査材料は、肌弾性を測定するための手段を含み得る。同様に、検査材料には、ホルモン検査および酵素検査が含まれてよい。検査材料は、対象者が身体外部の状態と比較するために使用することができる様々な色彩表（ハードまたはソフトの形態で）を含み得る。例えば、対象者は、自身の身体状態を最もよく表す表を選択することによって、肌または毛髪の色調、肌または毛髪の色、しわ、にきび、脱毛、薄毛、およびまたはそばかすの量と重度を判定することができる。同様に、肌の敏感度は、破壊された血管または毛細血管のパターンと表とを比較することによって測定できる。比較は、効果を増加させるために特定の製品を肌に塗布した後に完了できる。さらに、検査材料は、対象者が肌のきめと比較して肌あれのレベルを判断するための材料も含み得る。
【００９１】
そのような検査材料は例えば、少なくとも部分的にはセラミック物質から形成されてもよい。
【００９２】
本発明によると、方法は、バウチャー、または検査施設で１または複数の検査を実施させるためのその他の許可書を含み得る。業者が実施する検査を遂行するための指示は、利用可能な検査施設を一覧表示し、当該一覧表示された検査施設の１つで当該バウチャーを引き換えるように対象者に指示することを含み得る。本書で具体化されるように、検査施設では、対象者の頭皮または肌の水分量を測定するための角質水分測定装置、肌の弾性を測定するための肌粘弾性測定装置、肌のメラニン指数とヘモグロビン（紅斑）指数を測定するためのメラニン測定装置、頭皮または肌の皮脂内容を測定するための皮脂測定装置、肌または頭皮のｐＨを測定するための肌ｐＨ測定装置、肌荒れを測定するための肌の視覚検査装置（ｓｋｉｎ−ｖｉｓｉｏｍｅｔｅｒ）、ＳＰＦ分析を実施するための日焼け防止診断、肌水分透過量を測定するための肌水分蒸散量測定装置、肌表面を測定するためのビジョスキャン（ｖｉｓｉｏｓｃａｎ）、肌の透明度や光度を測定するためのクロマメータ（ｃｈｒｏｍａｍｅｔｅｒ）、肌の保湿性を測定するためのインピーダンス測定、肌の柔軟性を測定するための気体軸受け電流力計、肌表面の柔軟性ときめを測定するための肌の複製または画像分析、肌の防御機能を測定するためのＴＥＷＬ、血流または肌の敏感性を測定するためのレーザードップラー、肌や脂肪組織の厚みを測定するための超音、外傷数の測定とにきび研究の細菌学、および肌の硬度を測定するためのバレストメトリ（ｂａｌｌｅｓｔｏｍｅｔｒｙ）の少なくとも１つが使用されてもよい。毛髪の保湿性や柔軟性、毛髪の引張強さ、活性物質（ａｃｔｉｖｅｓ）の毛髪への浸透、毛髪の組成、および紫外線カット等も判断され得る。上記に記載の検査と検査の材料は包括的であるわけではなく、本書で使用されている検査および検査材料は、身体外部の状態を評価するためのいかなる方法および製品も網羅することが理解されなければならない。
【００９３】
本発明によると、組み合わせには、対象者の身体外部の状態の画像を取得するための画像取得装置がさらに含まれてよい。本発明によると、組み合わせは、また、対象者の身体外部の状態の画像を取得するための画像取得装置のための（たとえば、ソフトウェアおよび／またはハードウェア）ドライバも含んでよく、ここで、画像取得装置、当該ドライバおよび少なくとも１つの道具が電子的な美容診断を容易にするために一緒に包装されて分配される。画像取得装置は、ウェブカメラ、ディジタルカメラ、平床スキャナ、超音波画像、または画像取得に適した他のいかなる装置であってもよい。
【００９４】
他の実施態様では、組み合わせは、ドライバと少なくとも１つの道具を含み、画像取得装置は含まなくてもよい。例えば、対象者はすでに画像取得装置を有していてもよい。ドライバは、対象者が有する画像取得装置を補助し、その性能を高めるものであってよく、または新規な画像取得装置を作動させるものであってよい。さらなる実施態様では、組み合わせは、少なくとも１つの道具を含み、画像取得装置または画像取得装置を作動させるためのドライバは含まれなくてもよい。
【００９５】
図１２は、特製の診断キット９００の形態での組み合わせの一態様を図示する。個人的質問への対象者の回答に基づいて、１または複数の皮脂テープ９０２、Ｄ−スクオム・ディスク９０４、ｐＨインジケータ９０６、および角質インジケータ９０８が、対象者のための検査材料の特製セットとして選択され、キット９００に収納されて対象者へ配送され得る。画像取得装置９１０と当該画像取得装置のためのドライバ９１２もキットに収納され得る。キット９００は、クーリエまたは他の配送手段で対象者へ送られるか、指定場所で対象者に受取られてよい。特製キット９００は、１つの検査を実施するために十分な材料、または複数の検査を実施するために十分な材料を含み得る。
【００９６】
図１３に図示されたように、本発明の特徴と原理は例示的なシステム１３００において実施することができる。システム１３００は、画像取得装置１３０４を含むパッケージ１３０２、コンピュータ１３０６、ネットワーク１３０８およびメインフレーム１３１０を含んでよい。コンピュータ１３０６および／またはメインフレーム１３０８等のシステム１３００のコンポーネントは、本書に記載の１または複数のステップのいくつかまたは全てを実施するように構成されていてよい、および／またはそれを実施するためのソフトウェアを搭載していてよい。
【００９７】
当然ながら、当業者であれば理解するであろうが、システム１３００は本発明の特徴と原理を実施することができる多くのシステムの１つである。たとえば、上記の方法は、ネットワーク１３０８がなくても、コンピュータ１３０６および／またはメインフレーム１０６によって完全に実施することができる。さらなる実施例では、コンピュータ１３０６は、小売店舗に設けられたキオスクであってもよい。したがって、システム１３００と上記に述べた実施例は例示的なものであり、本発明の技術的範囲を制限するものではないことが理解されなくてはならない。
【００９８】
本書の様々な実施例では、類似した専門用語が使用されている。専門家による再検討のために、同様または類似の用語は、各追加的な実施態様の説明では必ずしも完全に再定義されていない。それでも、定義された用語と概念はすべての実施態様において同様に該当することが理解されなくてはならない。
【００９９】
本明細書では、美容製品の女性による使用に関して説明している。しかし、この説明による形態は一つの例に過ぎない。本発明は、性別を問わずに利用可能であり、美容業界に限定されるわけではないことを理解されたい。また、発明の機能的側面は、システムまたはネットワークの任意の場所から実行することができ、データソフトウェアはネットワーク内、独立のサイトまたは使用者または対象者の所有および操作に基づく媒体に存在するものであってもよいことを理解されたい。
【０１００】
さらに、本発明の方法を実施するために使用し得る物理的機構（例えば、ハードウェア、ソフトウェア、ネットワーク、システム）は多く存在することを理解されたい。ネットワーク、ハードウェアおよびシステムは、様々な方式を採用することが可能であり、ソフトウェアやハードウェア機能は複数の個所に散在し得る。さらに、ここで開示された実施例によるシステム以外のシステムによって発明を実施することも可能である。従って、本発明の方法が特定の構造に限定されるわけではないことを理解されたい。
【０１０１】
さらに、その方法や部分は、電子環境、物理環境またはその組み合わせにおいて実施することができる。例えば、方法の一部または多くの部分が電子環境で実行され、方法の「購入」部分が店頭で行われるように、またはこれの反対にすることができる。
ここに示す発明と矛盾しない程度に、この出願および請求項における用語の解釈に、次の一般定義を用いることとする。定義が複数存在する場合、１つの包括的な定義として捉えるべきである。
【０１０２】
「画像」とは、２次元および３次元形式のもののうち、いずれか一方または両方を含む。本発明による特定の実施例において、３次元画像を作成するために異なる視点からの複数の画像を使用することが可能である。より広い意味で、単一の画像を使用することも可能である。「画像」なる用語は、実施形態によって、対象者に関する情報を導出するためまたは視認可能な画像を作成するために使用できる電子画像データ、または視認可能な画像のいずれも含み得る。画像は、対象者の身体の一部に対応する身体画像であってもよく、例えば対象者の顔面全体または対象者の顔面の一部を表すものであってもよい。画像は、対象者の身体の一部を示す詳細な映像（例えばディジタル画像または写真）および／または対象者の身体の一部を等高線で表したトポロジー図であってもよい。画像が、身体外部の状態を表すものであれば、その状態を実際に示す画像であっても、状態を象徴的に表した画像であっても構わない。画像は、実際の画像であっても、シミュレーション画像であってもよい。シミュレーション画像は、完全にまたは一部合成されたコンピュータ画像、既存の画像に基づく画像および保存された対象者の特徴に基づく画像を含み得る。
【０１０３】
「画像取得装置」とそれに類似する表現、さらには同様の機能を有する構造を表す表現は、ディジタルカメラ、ウェブカメラ、フィルムカメラ、アナログカメラ、ディジタルビデオカメラ、スキャナ、ファクシミリ、コピー機、赤外線映像装置、超音波映像装置、または対象者の外部の身体状態の画像、対象者の容姿の画像および／または対象者の肌の画像を取得することができる、その他のあらゆる機構のうちの１つまたは複数を含み得る。超音波装置は、肌の厚さ情報を取得したり、外部の特定箇所をマッピングするものであってもよい。従って、ここでいう「画像」とは、映像そのものより広い概念である。画像取得装置を幾つか組み合わせて使用することも可能である。例えば、フィルムカメラを使用して写真用紙で得られた画像を平床スキャナでスキャンすることで他の画像を作成することも可能である。
【０１０４】
「（画像を）取得する」という表現とその活用形は、画像を得るための画像取得装置の使用に関するものである。「取得」とは、画像を得るために画像取得装置を直接使用する行為をいうものである。さらに、取得するために行われる間接的な行動も含み得る。その点で、「取得」とは、画像取得装置に画像を取得させるために、ハードウェアへのアクセスや、クライアント側のアルゴリズムとサーバ側のアルゴリズムのうちの少なくとも一方へのアクセスを提供するといった、間接的な行為も含み得る。これは、画像取得処理を助けるためのソフトウェアを使用者に提供したり、ソフトウェアが存在するネットワーク上の場所へのアクセス権を使用者に提供することによって達成されるものであってもよい。さらに、本発明の特定の実施形態によれば、取得とは、対象者から画像を取得する旨の指示を受けたり、画像取得前に対象者に通知したり、画像が取得できたら対象者に通知することのうち１つ以上を含み得る。
【０１０５】
「画像処理方法」という表現とそれに類似する表現は、画像中の、肌の状態等の特徴を１つ以上識別することのできるソフトウェアプログラム、コンピュータ、特定のアプリケーション専用の集積回路、電子装置および／またはプロセッサを含み得る。このような方法は、２値化、画像分割、フーリエ変換、高速フーリエ変換（ＦＦＴ）および／または離散的コサイン変換を含むことができ、この種の処理は、画像の全体または一部に対して行い、係数を得るものであってもよい。この技術分野において周知のように、係数に基づいて状態を確認することが可能である。状態を確認するために、ファジー論理、ニューラルネットワーク、遺伝プログラミングおよび決定木プログラミング等の人工知能技術を利用することもできる。また、特定の状態を発見するために、画像を１つまたは複数のディジタルフィルタに通すことも可能である。これらの例は、いずれの画像処理方法が使用されてもよいことを前提に例示したものに過ぎない。
【０１０６】
「ネットワークインタフェース」なる表現とそれに類似する表現は、ネットワーク上のノードまたは場所間の通信を補助するための機構をいうものである。ネットワークインタフェースは、例えば、バス、モデムまたはその他の入出力構造を含み得る。ネットワークインタフェースは、例えば、イーサネット（登録商標）通信網、インターネットプロトコル通信網、電話網、無線通信網、セルラー通信網、または２つ以上のモードあるいは遠在する場所間の通信を可能にする機構のうち、１つ以上のネットワーク内に存在する入力および／または出力モジュールに接続することができる任意のネットワークへの接続を可能にするものである。本発明のある実施形態において、ネットワークインタフェースはユーザインタフェースも含み得る。
【０１０７】
「ユーザインタフェース」なる表現とそれに類似する表現は、キーボード、キーパッド、マウス、トラックボール、電話、スキャナ、マイク、タッチスクリーン、ウェブカメラ、音声自動応答システム（ＩＶＲ）、音声認識システムまたは情報を伝達するのに適した他の任意の機構等の部品を１つ以上含み得る。ユーザインタフェースは、さらに、有線、光または電磁波による無線接続の入力ポートを含み得る。ある実施形態では、ユーザインタフェースは、入力指示およびデータを受信するための他のコンピュータシステムへの接続を含み得る。ユーザインタフェースは、さらに、磁気および光ディスク等の記憶媒体に対して入力データを読み込んだり、書き込んだりするためのディスクドライブ等のデータ読取装置を含むことも可能である。
【０１０８】
ここでいう「身体外部の状態」、「肌の状態」および「実際の状態」とは、肌、歯、毛髪、眉毛、睫毛、体毛、顔面の毛、手の爪および／または足の爪、またはその他の人体外部の一部のうちの少なくとも１つの状態を示すものである。肌の状態の例として、弾力性、乾燥、蜂巣炎、発汗、老化、しわ、黒色腫、脱皮、剥離、色の均一性、深いしわ、肝斑、鮮明性、線、微小循環、てかり、柔らかさ、滑らかさ、色、きめ、マット、保水性、たるみ、柔軟性、応力、張り、弾力、皮脂の生成、清潔性、透光性、発光性、刺激性、赤色化、血管濾過、血管運動、血管拡張、血管収縮、色素沈着、そばかす、汚点、脂性、毛穴の分布、毛穴の大きさ、ほくろ、母斑、にきび、黒色にきび、白色にきび、あばた、いぼ、吹出物、腫れ物、水脹れ、傷跡、くすみ、しみ、乾癬および対象者の肌に関する他の特徴を含み得る。毛髪の状態の例として、角質栓、長さ、乾燥、脂性、ふけ、厚さ、染色、密度、毛根の状態、枝毛、抜毛、薄毛、鱗毛、段化、清潔性および対象者の頭髪に関するその他の特徴を含み得る。手の爪および足の爪の状態の例は、爪真菌症、割爪、剥離、乾癬、発光性、線、斑点、色、光沢、強さ、脆さ、厚さ、ささくれ、長さ、疾患および対象者の爪に関するその他の特徴を含み得る。他の状態の例として、例えば、顔面の部分の大きさや割合、歯の変色、および対象者に関するその他の美的、物理的、生理的または生物学的状態を含み得る。
【０１０９】
ある行為を「可能にする」、「容易化する」または「引起す」とは、その行為を直接実行すること、間接的に促進したり、動作を補助することのうち１つ以上を意味するものである。従って、これらの表現は、行為を実行する者と提携または協力することおよび／または行為を実行する者に顧客を紹介することまたはそれから顧客を紹介されることを含む。「可能にする」、「容易化する」および「引起す」の定義に含まれる間接的な行為の他の例として、行為の実行することを補助するための道具を対象者に１つ以上提供すること、行為の実行方法についての指示、行為を実行するためのプロンプトや合図または行為を実行することを積極的に勧めることを含み得る。間接的行為は、行為を行う他者を補助する者や行為を直接行う者と協力することを含み得る。道具は、ソフトウェア、ハードウェア、または行為を実行することを補助するための道具を提供するネットワーク上の場所（例えばウェブサイト）へのアクセス（ハイパーリンクを介して直接またはその他の協力または提供形式によって）を含み得る。従って、「アクセスを可能にする」や「表示を可能にする」等の表現は操作者が実際に何かをアクセスしたり表示したりすることを必要とするわけではない。例えば、操作者は、行為を実行する組織と提携したり、他者にアクセスおよび表示を行うための指示、道具または促しを与えることによって可能にするという機能を果たすことができる。
【０１１０】
「表示」なる表現とそれに類似する表現も、装置が送信者の所有または支配下にあるかに係らず、ネットワークを介して表示装置に伝送するためのコンテンツを、提供するなど間接的な行為を含み得る。表示する情報を配信するための系列上に存在する組織は、ここで用いる意味では、いずれも「表示」する行為を行うものである。
【０１１１】
同様に、「提供する」という表現は、直接的な行為も間接的な行為も含みうる。例えば、コンピュータプログラムにアクセスを提供することは、ネットワークを介してコンピュータプログラムにアクセスを提供することおよび対象者に対象者のワークステーションまたはコンピュータ上で実行できるように構築されたコンピュータプログラムを作成または配布することのうち少なくとも１つを含み得る。例えば、第一者が、第二者によって管理されるサーバまたはウェブサイトにネットワークトラヒックを（電子リンクまたは訪れることを勧めることで）導くようにしてもよい。第二者がそこで特定のソフトウェアを保持していれば、ここでいう「アクセスを提供する」なる表現の意味においては、第一者がその特定のソフトウェアを提供していることを理解されたい。第一者が、対象者を、特定のソフトウェアを対象者に配送する第二者に導く場合、第一者が対象者にそのソフトウェアへのアクセスを提供していることになる。（勿論、いずれの場合であっても、ここで使用する表現の意味では第二者もアクセスを提供していることになる。）
【０１１２】
「受取る」とは、ネットワーク、口頭、電子通信、電話通信、文書またはその他に受取ることを可能にする手段によって取得することを意味する。また、「受取り」は、直接的であっても間接的であってもよい。例えば、受取りは、他者を代表し、他者を代理しまたは他者と協力して行動する第三者を介して行われるものであってもよい。いずれの場合であっても、このような間接的および直接的な行動は、すべて、ここで用いる「受取り」という表現に含まれる。受取られる要求は、例えば、様々な形態からなり得る。単に、チェックされたチェックボックス、クリックされたボタン、提出されたフォームまたは口頭による肯定であってもよい。また、タイプまたは手書きされた文章による要求であってもよい。受取りは、オンラインの申込書、電子メール、ファクシミリ、電話、音声自動応答装置、またはウェブサイト、インターネットプロトコルのアドレスまたはネットワークアカウントからネットワークを介して電子的に送信されるファイル転送プロトコルによるもののいずれによるものであってもよい。要求は、情報を必要とする対象者または対象者の代表者から受け取るものであってもよい。「受取り」は、１つまたは複数のネットワークおよび／または記憶媒体を介して直接的または間接的に受取ることを含み得る。受取りは、郵送またはその他の配送手段によって文書として物理的に行われる可能性もある。
【０１１３】
「保持」という表現は、収集、保存、アクセス、アクセスの提供、または何かをアクセス可能にすることを直接的または間接的に行うことを含む広い意味で使われている。例えば、情報を保持する者の中には、情報が保存されている第三者のサイトへリンクを提供する組織も含まれる。
上述した概念と同様に、例えば、得る、決定する、作成する、選択する、適用する、シミュレーションを行う、提示する等は、直接的および間接的な行動を含むものである。従って、下記の請求項を解釈するにあたり、記載された行動は直接的および間接的な行為のいずれによっても実行され得る。間接的行為のさらなる例として、信号の送信、ソフトウェアの提供、指示の提供、ある組織と協力してその組織に行動を行わせること、直接的または間接的行為を外部委託すること、または何等かの方法で指定された行為を補助することを含む。
【０１１４】
「製品」は、有形商品、品物、サービスおよび行為を意味する包括的な表現である。「美容製品」、「美容ケア製品」、「化粧品」やそれに類似した表現は、（上述のように）肌、毛髪および爪等の身体外部の状態を１つまたは複数に対して効果のある品物をいう。美容製品のうち、有形商品の例として、任意の形態（例えば、軟膏、クリーム、ゲル、スプレー、サプリメント、飲食物、吸入剤、ローション、ケーキ、液剤および粉末）による治療製品、身体洗浄剤およびメーキャップ製品等の化粧品が含まれる。
【０１１５】
サービス形態の美容製品の例として、毛髪のスタイリング、頭髪のカット、頭髪の染色、頭髪の除去、肌の治療、メーキャップの塗付およびその他の美容向上手段が含まれる。他の行為の例として、身体マッサージ、顔マッサージ、ディープクレンジング、美容製品の適用、運動、セラピー、または専門家、対象者自身または対象者の知合いによって行われる身体外部の状態に対して効果のあるその他の行為等が含まれる。
【０１１６】
次に、美容製品の例として、スクラブ、リンス、洗浄剤、保湿剤、しわ除去剤、剥奪剤、トナー、クレンザー、コンディショナー、シャンプー、キューティクルクリーム、オイルおよび坑真菌物質、老化防止剤、しわ防止剤、そばかす防止剤、スキンコンディショナー、スキントナー、肌用着色剤、タンナー、ブロンザー、美白剤、毛髪染色剤、洗髪剤、整髪剤、弾力性強化製品、製剤、頬紅、マスカラ、アイライナー、リップライナー、口紅、リップグロス、アイブロウライナー、アイシャドー、マニキュア、ファンデーション、コンシーラー、歯の美白剤、皮下脂肪除去剤、ヘアストレートナーおよびカーラー、および減量製品を挙げることができる。美容ケア療法は、上述の製品を１つまたは複数使用するものであってもよい。
【０１１７】
「美容アドバイス」、「美容指導」と類似の表現は、対象者に美容関連情報を提供する行為を意味するものである。アドバイスや指導は、美容製品の推奨（例えば、対象者が評価するように促した状態を処置するための美容製品の推奨）、改善策、予防策、予想、予後、価格および在庫情報、適用および利用情報、補足製品の提案、生活または食事療法の推奨、または対象者に将来の処置の流れを指導し、対象者に過去の出来事を理解させ、対象者の美に関連する将来の予想情報を反映し、または対象者に美容製品について理解させるための情報を含む。
【０１１８】
「ネットワーク」という表現は、インターネットや電話網等の公衆のネットワーク、私設ネットワーク、仮想私設ネットワークまたは２つ以上のノードまたは場所間の通信を図るためのその他の手段を含む。ネットワークは、有線および無線接続のいずれか一方または両方を含むものであってよい。無線通信は、電波による無線通信であってもよいが、当業者であれば、無線通信方式として、赤外見通し線、セルラー、マイクロ波、衛星、ブルートゥースパケット無線およびスペクトル拡散無線等、様々な通信技術を使用することができることを把握するであろう。無線データは、ポケットベル、テキストメッセージ、電子メール、インターネットアクセス、および音声通信が可能または不可能なその他の特殊データアプリケーションを含み得る。
【０１１９】
場合によって、本発明におけるネットワークは、宅配ネットワーク（例えば、郵便、ＵＰＳ、フェデックス等）をも含み得る。本発明の範囲内にあると認められるその他の種類のネットワークとして、ローカルエリアネットワーク、メトロポリタンエリアネットワーク、ワイドエリアネットワーク、アドホックネットワーク、または２つのノードまたは離れた場所間の通信を容易化するための任意の手段が含まれる。
【０１２０】
ここでいう「人工知能」（ＡＩ）とは、知識、技術および方法を組み合わせたあらゆる計算によるインテリジェントシステムを総合して示す表現である。ＡＩエンジンは、知識を適用するように構築され、変化する環境においても順応し、より上手に対応することを自ら学習することができるシステムであればよい。従って、ＡＩエンジンは、次の計算方法、すなわちニューラルネットワーク、制約プログラム、ファジー論理、分類化、従来の人工知能技術、シンボル操作、ファジー集合論、進化型計算、サイバーネティックス、データマイニング、近似推論、微分不使用最適化、決定木またはソフトウェアコンピューティングのうち１つまたは複数を組み合わせて採用するものであってよい。計算によるインテリジェント手法を用いることで、ＡＩエンジンは、未知または可変の環境に適応することを学習し、性能を改善することができる。ＡＩエンジンに、中央演算装置、コプロセッサ、メモリ、レジスタ、またはその他のデータ処理装置およびサブシステムのうち１つまたは複数を含む様々な部品またはシステムを採用したり、設けたりすることができる。
【０１２１】
ＡＩエンジンは、製品情報、専門家のアドバイス、ユーザプロフィールまたは感覚によるデータ等の入力に基づいて訓練することができる。ＡＩエンジンは、入力を用いて、反復性訓練方法を実行するものであってもよい。訓練とは、多種の学習ルールまたは訓練アルゴリズムに基づくものであり得る。例えば、学習ルールは、逆伝播、リアルタイム反復学習、パターン毎学習、指導学習、補間、加重和、強化学習、時差学習、非指導学習または記録学習のうち１つまたは複数を含み得る。訓練の結果、ＡＩエンジンはその環境に応じて動作を変化させることを学習し、知識を得ることができる。知識とは、ＡＩエンジンが、新しいデータまたは状況に対して適切な反応を示す根拠となる情報をいう。知識は、例えば、２つ以上の製品間の相関情報を表すものであってもよい。知識は、データベース等の便利な場所に任意の形式で保存しておくことが可能である。
ＡＩエンジンはその動作を変えることを学習することができるので、ＡＩエンジンまたはシステム内のその他の部分に、すべての製品の組み合わせに関する相関情報を保持する必要はない。
【０１２２】
「個人情報」、「対象者固有情報」、「ユーザ固有情報」、「ユーザプロフィール」、「個人の特徴」、「個人の特質」、「プロフィール情報」および類似の表現（この部分ではすべて含めて「個人情報」という）は、対象者または使用者に関するあらゆる情報を広く包含するものである。このような情報は、例えば、身体的な特徴、ファッションの嗜好、デモグラフィック情報、栄養情報、化粧品使用情報、病歴情報、環境情報、美容製品使用情報、生活習慣等の項目に属し、氏名、年齢、生年月日、身長、体重、人種、食生活、休暇のパターン、個人の住所または居所または職場の地理的位置、職習慣、睡眠習慣、使用する洗面用具、運動習慣、リラクゼーション習慣、美容ケア習慣、喫煙および飲酒習慣、日光露出習慣、日焼け止めの使用、日焼け傾向、日焼けによる炎症および重度の炎症の数、食事制限、使用するダイエットサプリメントまたはビタミン類、黒色素細胞腫等の身体の外部に影響すると診断された状態、写真またはマルチメディアファイル等の対象者の画像、顔の特徴、対象者の血族に関する身体的特徴情報（例えば、若年での禿頭、白髪、しわ等の発生）等の家族歴情報、身体外部の状態（既に定義したとおり）、色の嗜好、服装の嗜好、旅行の傾向、娯楽の嗜好、健康情報、製品または塑性物または他の要素（例えば日光露出）に対する拒絶反応、身体化学、従来の美容ケア製品の使用とその効果、購買およびショッピングおよびブラウジングの傾向、趣味、婚姻状況、対象者が親であるか、在住する国、在住する地域、生まれた国および地域、宗教の所属、政党の所属、対象者が都会の在住者であるか、郊外の在住者であるか、地方の在住者であるか、対象者が在住する都会地域の規模、対象者が退職者であるか、年収、性的嗜好または対象者の習慣、嗜好または趣味を反映するその他の情報を含み得る。
【０１２３】
個人情報は、さらに、対象者の電子ブラウジングまたは購買傾向を監視することによって、または対象者のコンピュータ上に保持されたクッキー、アンケートへの返答、または対象者に関する情報を提供することができるその他の機構によって電子的に収拾された情報も含み得る。また、書面によるアンケート、個人面談または顧客の嗜好調査等の非電子的手段で収集されたものであってもよい。
【０１２４】
「補足」および「補足製品」とは、物理的、身体的、生物学的および美的適合性のうちの１つまたは複数の概念を意味する。製品は、他の製品、製品のセットまたは対象者のうちの１つまたは複数と補足性を有するものであり得る。後者の場合、製品が「補足的」であるかは対象者の個人情報によるものであり得る。従って、製品が補足性を有するということは、不適当なアレルギー反応を引起す可能性が低いこと、他の製品との物理的な混合特性がよいこと、または対象者または１つまたは複数の製品との美的な適合性がよいことをいうものであり得る。美的適合性とは、２つの製品が一緒に装着された場合に美的魅力を有する（または相反しない）ことを意味する。補足製品の識別は、さらに、製品の特徴、対象者の好み、調査データまたは専門家のアドバイスによるものであり得る。
【０１２５】
ここで、「あってよい」や「あり得る」という表現は、自由な無制約的な意味で解釈されるべきである。「あってよい」や「あり得る」は、少なくとも、記載された構造または行為を確実に含むものとして捉えるべきである。さらに、「または」という表現は、普通接続詞および選言的接続詞のいずれの解釈も可能である。
【０１２６】
ここで示すフローチャートは、例示目的で連続するブロックの系列として示してあるが、最も広い意味においてブロックの順序は本発明にとっては重要ではない。さらに、発明の趣旨から逸脱せずにブロックを削除したり追加したりすることも可能である。また、発明は、異なる実施形態に関連して説明した特徴を組み合わせたものも含み得る。
【０１２７】
説明はサーバ側の方法に焦点を絞っているが、発明がそれに対応するクライアント側の方法、ソフトウェア、製品、およびパソコンで読取可能な媒体を含み、ここで説明する方法のうちの幾つかまたはすべての方法のための指令を保存するためにパソコンで読取可能な媒体を使用することが可能であることを理解されたい。さらに、開示された構造はここで説明した機能を実施するための手段を規定するものであり、本発明が、開示された機能を実行するための手段を含むことを理解されたい。
【０１２８】
前記の実施形態の説明において、説明を簡素化するために様々な特徴が１つの実施形態の中に組み合わされている。この開示方法は、請求項による発明が、各請求項に明示的に記載された特徴以外に他の特徴も必要とするという意図を反映するものであると解釈されるべきではない。むしろ、請求項に示してあるとおり、発明の要旨は上に開示した各実施形態の特徴をすべて含んでいなくとも達成され得る。従って、前記の請求項は、ここにて当該実施形態の説明内に導入されるものであって、各請求項は発明の個別の実施形態として独立して存在する。
【図面の簡単な説明】
【図１】本発明の美容分析を実施する例示的な方法のフローチャートを図示する。
【図２】本発明の美容分析を実施するさらなる例示的な方法のフローチャートを図示する。
【図３】本発明の画像所得を修正するための例示的な方法のフローチャートを図示する。
【図４Ａ】図４Ａは本発明の特徴と原理の画像取得を修正するための例示的な方法のフローチャートを図示する。
【図４Ｂ】図４Ｂは本発明の特徴と原理の画像取得を修正するための例示的な方法のフローチャートを図示する。
【図４Ｃ】本発明の、図４Ａの参考画像とともに取得された身体部分の画像を図示する。
【図５】本発明の画像取得修正のためのさらなる例示的な参考画像を図示する。
【図６Ａ】本発明の特徴と原理の身体部分の画像の処理のための例示的な方法を図示する。
【図６Ｂ】本発明の特徴と原理の身体部分の画像の処理のための例示的な方法を図示する。
【図６Ｃ】本発明の特徴と原理の身体部分の画像の処理のための例示的な方法を図示する。
【図７】本発明の身体部分画像の取得を容易にするための例示的な方法を図示する。
【図８Ａ】本発明の取得された対象者の画像を処理するための例示的な方法の態様を図示する。
【図８Ｂ】本発明の取得された対象者の画像を処理するための例示的な方法の態様を図示する。
【図９Ａ】本発明の取得された対象者の画像を処理するためのさらなる例示的な方法の態様を図示する。
【図９Ｂ】本発明の取得された対象者の画像を処理するためのさらなる例示的な方法の態様を図示する。
【図１０】本発明の所望の参考状態に対する対象者の画像の状態を比較するために例示的なシステムを図示する。
【図１１】本発明の美容分析を提供する例示的な方法を図示する。
【図１２】本発明の特徴と原理の、特製診断キットの形態での組み合わせの一例を図示する。
【図１３】本発明の特徴と原理の例示的なシステム環境を図示する。
【図１】
2004000428.tif 000003
【図２】
2004000428.tif 000004
【図３】
2004000428.tif 000005
【図４Ａ】
2004000428.tif 000006
【図４Ｂ】
2004000428.tif 000007
【図４Ｃ】
2004000428.tif 000008
【図５】
2004000428.tif 000009
【図６Ａ】
2004000428.tif 000010
【図６Ｂ】
2004000428.tif 000011
【図６Ｃ】
2004000428.tif 000012
【図７】
2004000428.tif 000013
【図８Ａ】
2004000428.tif 000014
【図８Ｂ】
2004000428.tif 000015
【図９Ａ】
2004000428.tif 000016
【図９Ｂ】
2004000428.tif 000017
【図１０】
2004000428.tif 000018
【図１１】
2004000428.tif 000019
【図１２】
2004000428.tif 000020
【図１３】
2004000428.tif 000021
【外国語明細書】
2004000428.tif 000022
2004000428.tif 000023
2004000428.tif 000024
2004000428.tif 000025
2004000428.tif 000026
2004000428.tif 000027
2004000428.tif 000028
2004000428.tif 000029
2004000428.tif 000030
2004000428.tif 000031
2004000428.tif 000032
2004000428.tif 000033
2004000428.tif 000034
３　Ｄｅｔａｉｌｅｄ　Ｄｅｓｃｒｉｐｔｉｏｎ　ｏｆ　Ｉｎｖｅｎｔｉｏｎ
2004000428.tif 000035
2004000428.tif 000036
2004000428.tif 000037
2004000428.tif 000038
2004000428.tif 000039
2004000428.tif 000040
2004000428.tif 000041
2004000428.tif 000042
2004000428.tif 000043
2004000428.tif 000044
2004000428.tif 000045
2004000428.tif 000046
2004000428.tif 000047
2004000428.tif 000048
2004000428.tif 000049
2004000428.tif 000050
2004000428.tif 000051
2004000428.tif 000052
2004000428.tif 000053
2004000428.tif 000054
2004000428.tif 000055
2004000428.tif 000056
2004000428.tif 000057
2004000428.tif 000058
2004000428.tif 000059
2004000428.tif 000060
2004000428.tif 000061
2004000428.tif 000062
2004000428.tif 000063
2004000428.tif 000064
2004000428.tif 000065
2004000428.tif 000066
2004000428.tif 000067
2004000428.tif 000068
2004000428.tif 000069
2004000428.tif 000070
2004000428.tif 000071
2004000428.tif 000072
2004000428.tif 000073
2004000428.tif 000074
2004000428.tif 000075
2004000428.tif 000076
2004000428.tif 000077
2004000428.tif 000078
2004000428.tif 000079
2004000428.tif 000080
2004000428.tif 000081
2004000428.tif 000082
2004000428.tif 000083
2004000428.tif 000084
2004000428.tif 000085
2004000428.tif 000086
2004000428.tif 000087
2004000428.tif 000088
2004000428.tif 000089
2004000428.tif 000090
2004000428.tif 000091
2004000428.tif 000092
2004000428.tif 000093
2004000428.tif 000094
2004000428.tif 000095
2004000428.tif 000096
2004000428.tif 000097
2004000428.tif 000098
2004000428.tif 000099
2004000428.tif 000100
2004000428.tif 000101
2004000428.tif 000102
2004000428.tif 000103
2004000428.tif 000104
2004000428.tif 000105
2004000428.tif 000106